(57)【要約】  映像表示装置は、映像を表示する映像表示パネルと、映像表示パネルの外周部を囲むケースと、映像表示パネルの外周部近傍に配置され、複数のスピーカを直線状に連ねて構成される音響装置と、音響装置の開口部に対応してケースに設けられ、音響装置からの発生音を外部に放音するための放音孔と、を備える。音響装置の奥行き方向の寸法が、映像表示パネルの奥行き方向の寸法以下である。
2012153537.tif 000002
【特許請求の範囲】
【請求項１】
映像を表示する映像表示パネルと、
前記映像表示パネルの外周部を囲むケースと、
前記映像表示パネルの外周部近傍に配置され、複数のスピーカを直線状に連ねて構成される音響装置と、
前記音響装置の開口部に対応して前記ケースに設けられ、前記音響装置からの発生音を外部に放音するための放音孔と、を備え、
前記音響装置の奥行き方向の寸法が、前記映像表示パネルの奥行き方向の寸法以下である、映像表示装置。
【請求項２】
前記音響装置が、前記映像表示パネルの前面側、かつ前記映像表示パネルの外周部の外側に設けられている、請求項１記載の映像表示装置。
【請求項３】
前記スピーカの振動板の振幅方向を、前記映像表示パネルの映像表示面と実質的に直交方向とし、
前記音響装置の前記開口部を、前記映像表示パネルの映像表示面と実質的に平行面上に構成した、請求項２記載の映像表示装置。
【請求項４】
前記音響装置が、前記映像表示パネルの裏面側、かつ前記映像表示パネルの外周部の内側に設けられている、請求項１記載の映像表示装置。
【請求項５】
前記スピーカの振動板の振幅方向を、前記映像表示パネルの映像表示面と実質的に直交方向とし、
前記音響装置の前記開口部を、前記映像表示パネルの映像表示面と実質的に直交面上に構成した、請求項４記載の映像表示装置。
【請求項６】
前記スピーカを直線状に連ねて配置する方向は、前記スピーカの長手方向である請求項１記載の映像表示装置。
【請求項７】
前記放音孔の長方形形状の短径寸法を２ｍｍ以下とした請求項１記載の映像表示装置。
【請求項８】
前記放音孔の短径寸法は、前記ケースの高さ方向の寸法の１％以下とした請求項１記載の映像表示装置。
【請求項９】
前記音響装置の短手方向寸法は、２０ｍｍ以下とした請求項１記載の映像表示装置。
【請求項１０】
前記スピーカの全高寸法は、５ｍｍ以下とした請求項１記載の映像表示装置。
【請求項１１】
前記音響装置は、前記ケースの内側から加圧することにより固定した請求項１記載の映像表示装置。
【請求項１２】
前記音響装置は、前記ケースの内側から弾性体により前記音響装置を挟み込むように固定した請求項１記載の映像表示装置。
【請求項１３】
前記開口部は、振動板の前面側へ放出された音を放音する第１の開口部、及び振動板の背面側へ放出された音を放音する第２の開口部を有し、
前記第１の開口部は、前記放音孔に対抗する位置に配置され、
前記第２の開口部は、前記第１の開口部に対して前記音響装置の反対側に配置された、
請求項３及び請求項５のいずれか１項記載の映像表示装置。
【発明の詳細な説明】
【技術分野】
【０００１】
本発明は、テレビジョン受像機、ゲーム機器、パーソナルコンピュータ、情報通信機器、サイネージ等に用いられる表示装置と、音響装置とを備えた映像表示装置に関するものである。
【背景技術】
【０００２】
近年、映像業界では、テレビジョン受像機（以下、「テレビ」と略称する）において、プラズマテレビや液晶テレビに代表されるように、これらの映像表示装置の薄型化や省スペース化が要求されてきている。【０００３】
奥行き寸法が大きかったブラウン管を用いたテレビが主流であった過去の時代では、テレビの前面にブラウン管を配置しても、背面方向に進むにつれて窄んだ形状に形成されているブラウン管背面部の奥行き寸法を活用して容積の大きな音響装置を搭載することが可能であった。従って、前面部の形状がスリムタイプ、すなわち幅が狭いタイプの音響装置でさえあれば、奥行き寸法が大きくとも、テレビに音響装置を搭載する上で、特に問題になることはないものであった。【０００４】
しかしながら、プラズマテレビや液晶テレビの場合には、その表示モジュール自体の形状が薄いだけでなく、その背面部に余分なスペースを設ける必要がない。しかも、映像を表示するプラズマパネル部や液晶パネル部の面積はできるだけ大きく確保してテレビ等の映像表示装置としての視認性を高めるとともに、それ以外の部分の面積や体積についてはできるだけ小さくして、いわゆる狭額縁化して小型化や薄型化や省スペース化を高めることで、その商品価値を向上させることが要望されている。従って、音響装置を搭載する上で、奥行き方向の容積を活用するのが非常に困難になってきている。よって、これらの映像表示装置に搭載される音響装置についても、小型化や薄型化の市場要求が避けられないのが現状である。【０００５】
以下、従来の電子機器である映像表示装置および、この映像表示装置に搭載される音響装置について図面を用いて説明する。【０００６】
図１０は、従来の電子機器である映像表示装置の外観を示す斜視図である。図１１は、従来の映像表示装置に用いられる音響装置の長手方向の断面図である。プラズマテレビや液晶テレビ等の映像表示装置に用いられる従来の音響装置は、図１０に示すように、プラズマパネル部や液晶パネル部の下側面に正面方向を向けてスピーカーシステム３７を横長に配置する構成が多用されていた。この場合、スピーカーシステム３７の内部には、横長の音響装置の形状に合わせて、横長のスピーカである通常のテレビ用サイズのコーン型のスリム形状スピーカ、すなわち幅が狭いタイプのスピーカが多用されていた。【０００７】
図１１に示すように、従来の音響装置のスピーカーシステム３７は、エンクロージャ３４とコーン型のスリム形状スピーカ３５とにより構成されていた。エンクロージャ３４は、前面パネル３１と、背面パネル３２と、側面パネル（図示せず）により構成されていた。そして、エンクロージャ３４の前面パネル３１に、内側からコーン型のスリム形状スピーカ３５が取付けられて、スリム形状スピーカ３５に備えられたターミナルにスピーカコードが結線され、このスピーカコードを内部で空中配線により引回して配線していた。【０００８】
スピーカーシステム３７は、プラズマパネル部や液晶パネル部の下側面に正面方向を向けて配置してもプラズマテレビや液晶テレビ等の映像機器が小型化できるように横長形状に形成されていた。このため、スピーカーシステム３７の横長形状に合せられるように、横長のスピーカである通常のテレビ用サイズのコーン型のスリム形状スピーカ３５が使用されていた。【０００９】
コーン型のスリム形状スピーカ３５は、着磁されたマグネット４１と内磁型の磁気回路４４と横長のスリム形状のフレーム４６とコーン型のスリム形状振動板４７とボイスコイル４８とダンパー４９とダストキャップ５０とから構成していた。【００１０】
内磁型の磁気回路４４は、マグネット４１を上部プレート４２およびヨーク４３により挟み込んで構成されていた。そして、内磁型の磁気回路４４を横長のスリム形状のフレーム４６の下部と結合し、スリム形状フレーム４６の周縁部に、コーン型のスリム形状の振動板４７を接着する。そして、コーン型のスリム形状振動板４７に、スリム形状振動板４７を駆動させるためのボイスコイル４８を、結合し、ボイスコイル４８をダンパー４９にて中心保持して磁気回路４４の磁気ギャップ４５に、はまり込むように結合し、コーン型のスリム形状振動板４７の前面にダストキャップ５０を接着していた（例えば、特許文献１、２、３、４参照）。【００１１】
従来の映像表示装置では、市場要求である小型化や薄型化や省スペース化をある程度実現させることができる構成となっている。しかしながら、商品価値の向上のために、さらなる小型化や薄型化や省スペース化を要求されると、通常のテレビ用サイズのスピーカを使用している以上、従来の映像表示装置では、既に限界に達している。【００１２】
すなわち、従来の通常のテレビ用サイズのコーン型のスリム形状スピーカは、スピーカの縦寸法と横寸法を小さく設計することは可能である。しかし、コーン型である以上、スリム形状スピーカはある程度の奥行き寸法が必要となる。これにより、スピーカのエンクロージャ寸法を含めると、スピーカが映像表示パネルの奥行き方向の寸法よりも大きくなる。【００１３】
従って、映像表示装置としての小型化や薄型化や省スペース化を実現させることが困難になる。
【先行技術文献】
【特許文献】
【００１４】
【特許文献１】特開２００８−１５３７１６号公報
【特許文献２】特開平８−２２３６７８号公報
【特許文献３】特開平８−２５１６８６号公報
【特許文献４】特開２００５−７９８０９号公報
【発明の概要】
【００１５】
本発明の映像表示装置は、映像を表示する映像表示パネルと、映像表示パネルの外周部を囲むケースと、ケース内部に設けられ、音を放射する音響装置と、から構成される。音響装置は、映像表示パネルの外周部の上下方向または左右方向に映像表示パネルに沿わせて配置されるとともに、複数の小型のスピーカが直線状に少なくとも２個以上連ねて構成されている。映像表示パネルの外周部を囲むケースには、音響装置の開口部に対応して放音孔が設けられている。音響装置からの発生音は、開口部を介して放音孔から外部へ放音されるとともに、音響装置の奥行き方向の寸法は、映像表示パネルの奥行き方向の寸法と同じか、または小さくして構成している。
【図面の簡単な説明】
【００１６】
【図１】図１は、本発明の実施の形態１に係る映像表示装置の断面図である。
【図２】図２は、本発明の実施の形態１に係る映像表示装置の斜視図である。
【図３】図３は、本発明の実施の形態１に係る音響装置の短手方向の断面図である。
【図４】図４は、本発明の実施の形態１に係る音響装置の斜視図である。
【図５】図５は、本発明の実施の形態１に係る音響装置の分解斜視図である。
【図６Ａ】図６Ａは、本発明の実施の形態１に係る映像表示装置に音響装置を固定した状態を示す正面図である。
【図６Ｂ】図６Ｂは、本発明の実施の形態１に係る映像表示装置に音響装置を固定した状態を示す斜視図である。
【図７Ａ】図７Ａは、本発明の実施の形態１に係る音響装置の他の配置例における正面図である。
【図７Ｂ】図７Ｂは、本発明の実施の形態１に係る音響装置の他の配置例における斜視図である。
【図８】図８は、本発明の実施の形態２に係る映像表示装置の断面図である。
【図９】図９は、本発明の実施の形態２に係る映像表示装置の斜視図である。
【図１０】図１０は、従来の映像表示装置の斜視図である。
【図１１】図１１は、従来の映像表示装置に用いられる音響装置の長手方向の断面図である。
【発明を実施するための形態】
【００１７】
（実施の形態１）
以下、本発明の一実施形態である、実施の形態１について図面を用いて説明する。薄型の映像表示装置としては、プラズマテレビや液晶テレビなどが挙げられる。本実施の形態における映像表示装置は、映像表示パネルの下辺に音響装置が設けられる場合について説明する。
【００１８】
ここで、この音響装置は、その長手方向が、映像表示パネルの下辺に沿うように配置され、小型のスピーカが複数個並んで配置されたものである。尚、以降の説明では、小型のスピーカの数量を８個連ねて配置した場合を例に挙げて説明し、本発明における小型のスピーカについては、小型スピーカ、マイクロスピーカまたは単にスピーカと略称する。本実施例では、小型スピーカの振動板が振動する際の振幅方向（以下、「振動板の振幅方向」と略記する）は、映像表示パネルの映像表示面に対し、実質的に平行または、実質的に直交方向となるように配置されている。なお、以降の説明では、小型スピーカの振動板の振幅方向が、映像表示パネルの映像表示面と実質的に直交方向である場合について説明する。この場合、特に、映像表示装置の狭額縁化が一層実現可能となる。
【００１９】
図１は、本発明の実施の形態１に係る映像表示装置６０の断面図である。図２は、本発明の実施の形態１に係る映像表示装置６０の斜視図である。図３は、本発明の実施の形態１に係る音響装置７の短手方向の断面図を示したものである。図４は、本発明の実施の形態１に係る音響装置７の斜視図である。図５は本発明の実施の形態１に係る音響装置７の分解斜視図である。
【００２０】
図１から図５に示すように、本発明の実施の形態１に係る映像表示装置６０は、映像表示パネル６１とケース６２と音響装置７とで構成されている。
【００２１】
図１に示すように、映像表示パネル６１は、映像表示装置６０の中央部に配置されており、映像を表示する。映像表示パネル６１は平板状であり、例えばプラズマディプレイパネルや、液晶パネルなどである。ケース６２は、映像表示パネル６１の外周部を囲むフレーム状の部材であるフロントキャビネット部（額縁部）と、映像表示パネル６１の背面を覆うバックキャビネット部からなる。また、フロントキャビネット部は、音を放音する音響装置７を収納できる構造となっている。音響装置７は、複数個の小型スピーカ５が、映像表示パネル６１に沿って直線状に連なって構成されている。そして、音響装置７は、映像表示パネル６１の外周部の下方向に配置されている。また、音響装置７には、一例として８個の小型スピーカ５が収納されている。音響装置７の具体的な構成については、図３、図４、および図５を用いて、後に詳しく説明する。
【００２２】
上記の額縁部の前面側には放音孔６３が設けられる。また、額縁部内には、音響装置７を収納する収納部分が設けられており、額縁部の下方から音響装置７を挿入することにより、音響装置７は額縁部に固定される。そして、放音孔６３は、このようにして固定された音響装置７の開口部に対応して設けられている。すなわち、図２に示すように、音響装置７は、映像表示パネル６１の前面側、かつ映像表示パネル６１の外周部の外側に設けられることとなる。このような構成により、音響装置７の小型スピーカ５からの発生音は、音響装置７のスリット状の開口部１ａと映像表示装置６０のスリット状の放音孔６３を介して、映像表示装置６０の外部へと放音される。尚、本実施の形態において、映像表示装置６０の放音孔６３の形状は、１つの長方形形状としたが、１つの長円形状、または長方形形状、円形状あるいは長円形状などの複数の孔を直線状に並べて形成した形状であってもよい。
【００２３】
放音孔６３を映像表示パネル６１の下側に設けることにより、視聴者の耳に近い位置を確保することができ、さらに映像表示装置６０の放音孔６３を左右側それぞれ一対に設けることにより、良好な音質とステレオ再生を可能としている。
【００２４】
音響装置７の奥行き方向の寸法は、映像表示パネル６１の奥行き方向の寸法より小さくしている。これにより、音響装置７とケース６２の背面との間に隙間を形成することができる。したがって、この隙間には、音響装置７をケース６２へ固定するための固定部材等を、配置することができるため、映像表示装置６０を薄型化することが可能となる。尚、音響装置７の奥行き方向の寸法は、映像表示パネル６１の奥行き方向の寸法と同じであってもよい。
【００２５】
本実施の形態において、小型スピーカ５の振動板２７の振幅方向は、映像表示パネル６１の映像表示面と実質的に直交方向にしている。つまり、小型スピーカ５は、振動板２７の前面（図１における振動板の上方）側が映像表示パネルの下端面側を向く方向に配置され、小型スピーカ５は、主に振動板２７の前面側の方向へ放音された音を放音孔６３から映像表示装置６０の外部へと放音する構成としている。
【００２６】
ここで、振動板２７の背面側では、前面側へ放音される音の逆位相成分の音が発生し、振動板２７の背面側の方向へ放音された音は、ケース６２の内部へ放音され、可能な限り映像表示装置６０の外部へ漏れ出さないようにしている。この構成とすることにより、振動板２７の背面側で発生した逆位相成分の音が、前面側に回り込むことを抑制することができ、振動板２７の前面側へと放音された音と、振動板２７の背面側へと放音された逆位相成分の音とが、混ざってしまうことを抑制することができる。従って、音圧レベルの低下等の悪影響を及ぼすことを防止することができ、特性や音質の良好な音を再生することができる。
【００２７】
以上のような構成とすることにより、映像表示装置６０の放音孔６３からの放音が可能となるので、映像表示装置６０の狭額縁化が可能となる。さらに音質的に優れた映像表示装置６０を得ることができるので、高性能な映像表示装置６０の小型化、薄型化や省スペース化を実現させることができる。
【００２８】
図１、および図２に示すように、本実施の形態における小型スピーカ５は、振動板２７の前面側が映像表示パネル６１を向く方向で配置されている。これにより、音響装置７の放音孔６３は映像表示パネル６１へ近づけて配置しやすくなり、映像と音響の一体化を向上させ、リアリティーの高い映像と音響を提供することができる。
【００２９】
なお、小型スピーカ５は、振動板２７の背面側が映像表示パネル６１を向く方向に配置しても良い。この場合、音響装置７の放音孔６３は、小型スピーカ５の振動板２７の前面側に配置される。したがって、音響装置７の放音孔６３の位置は、映像表示パネル６１から離れた位置になる。このように、小型スピーカ５の搭載方向は、適宜変化させることができるので、映像表示装置６０の全体的なデザインの自由度を向上させることができる。
【００３０】
次に、図３に示す音響装置７と小型スピーカ５の構成について説明する。
【００３１】
本実施の形態における小型スピーカ５の磁気回路２４は、内磁型であり、着磁されたマグネット２１を上部プレート２２およびヨーク２３により挟み込んで構成されている。フレーム２６は、横長のスリム形状をなしており、磁気回路２４と結合されている。また、振動板２７も、スリム形状をなしており、フレーム２６の周縁部に接着されている。ボイスコイル２８は、振動板２７に結合され、振動板２７を駆動するとともに、磁気回路２４の磁気ギャップ２５に、はまり込むように結合して構成されている。
【００３２】
また、音響装置７において、小型スピーカ５の振動板２７の前面には、音響装置７の前面パネル１が設けられ、一方、これと反対側には音響装置７の背面パネル２が設けられ、この背面パネル２には配線手段６が設けられている。さらに、小型スピーカ５の側面には、小型スピーカ５を囲むように側面パネル３が設けられ音響装置７を構成している。音響装置７には開口部１ａが設けられ、開口部１ａは振動板２７で発生した音を放音するために形成されたものであり、本実施の形態では、開口部１ａは、振動板２７の前面側方向にスリット状に形成されている。すなわち、音響装置７の開口部１ａは、映像表示パネル６１の映像表示面と実質的に平行面上に構成している。一方、振動板２７の背面側の方向には、スリット状の開口部２ａが設けられている。尚、本実施の形態において、スリット状の開口部１ａおよびスリット状の開口部２ａは、ともに側面パネル３に設けられている。
【００３３】
ターミナル２９は、小型スピーカ５へ信号を供給する端子であり、ボイスコイル２８に結合されている。ターミナル２９は、背面パネル２に設けられた孔に挿入され、配線手段６と結合され、これにより、映像表示装置６０の内部に設けられたアンプ（図示せず）から出力された音声信号は、配線手段６を介して小型スピーカ５へ供給される。
【００３４】
本実施の形態において、配線手段６はプリント基板によって形成されており、この配線手段６上には８個の小型スピーカ５が装着されている。そして、ターミナル２９と配線手段６との間の電気的な結合方法は、はんだ付け等の結合手段により結合されている。このターミナル２９と配線手段６との間のはんだ付け接続は、例えばリフローはんだ付けなどにより、一括に行うことができ、このため、８個という多数個の小型スピーカを使用しても、生産性の向上を実現させることができる。尚、小型スピーカ５の外形形状は、長方形形状、トラック形状、楕円形状のうちのいずれかの形状であれば良い。さらに、スピーカを直線状に連ねて配置する方向は、スピーカの長手方向とする。これにより、多数個の小型スピーカ５を直線状に連ねて配置しても、音響装置７の形状を映像表示装置６０の狭額縁化を図りやすい形状にすることができる。
【００３５】
以上の構成とすることで、小型スピーカ５は、従来の通常のテレビ用サイズのコーン型のスリム形状スピーカと比較して、縦寸法、横寸法、全高寸法とも極端に小さくすることができる。さらにその構造上、平面状の振動板２７を使用していることと、ダンパーを使用しない構成であるため、特にスピーカ５の全高寸法を小さくすることができ、従って、音響装置７の全高寸法も小さくすることができる。
【００３６】
そして、このようにして全高寸法を小さくした音響装置７は、振動板２７の振幅方向が、映像表示パネルの映像表示面と直交するように配置されることにより、映像表示装置の狭額縁化を図ることに大きく貢献し、映像表示装置の小型化や薄型化や省スペース化を実現することができる。また、平面状の振動板２７を使用していることで、コーン型の振動板に比べて、音響装置７の前面パネル１との間に設けられた前面方向のスリット状の開口部１ａの形状に凹凸がほとんど発生することがない。従って、音響装置７の周波数特性や音質を劣化させる要因である前室効果や回折効果等の悪影響を低減させることができる。
【００３７】
以上、音響装置７の小型スピーカ５の振動板２７の振幅方向が映像表示パネル６１の映像表示面と直交するように構成した場合について説明したが、これに限定されることなく、小型スピーカ５の振動板２７の振幅方向を、映像表示パネル６１の映像表示面と平行方向に構成しても良い。この場合、映像表示装置６０の狭額縁化における効果は僅かながら低減する。しかし、小型スピーカ５の振動板２７から発生した音は、スリット状の開口部を通過させることなく直接外部に放音されるため、前室効果が発生しなくなる。従って、より良好な特性と音質を得ることができる音響装置７を実現することができる。
【００３８】
次に、映像表示装置６０のケース６２内部に設けられた音響装置７の詳細について説明する。
【００３９】
音響装置７は、図３、図４および図５に示すように、前面パネル１と背面パネル２は、ともにスピーカ５の振動板２７と対向して設けられ、振動板２７を挟み、互いに振動板２７の反対側の方向に配置されている。また、側面パネル３は、前面パネル１と背面パネル２とを結合している。そして小型スピーカ５は、これら前面パネル１、背面パネル２、側面パネル３で形成された音響装置７の中心部に配置されている。尚、本実施の形態では、８個の小型スピーカ５が直線状に連ねて配置されて、音響装置７内へ収納されている。ここで、個々のスピーカ５には、それぞれ個々のスピーカ５を分離するための仕切り５ａが設けられ、これにより、個々のスピーカ５から放音された音は、互いに干渉が生じにくくなる。
【００４０】
その結果、良好な特性と音質を実現することができる。音響装置７には、第１の開口部としてのスリット状の開口部１ａと、第２の開口部としてのスリット状の開口部２ａとが形成され、開口部１ａは、振動板２７の前方側において、前面パネル１に対して直角方向に形成されている。これにより、前面パネル１の方向では、スピーカ５の振動板２７の振幅方向と直角方向に放音される。
【００４１】
一方、音響装置７の開口部２ａは、振動板２７の背面側において、背面パネル２に対して実質的に直交方向に形成され、前方側の放音方向と反対方向に放音されるように形成されている。そして、音響装置７の開口部１ａの方向に放音された音と、音響装置７の開口部２ａの方向に放音された音とは、音響装置７の内部では混ざらないように完全に分離できる構成としている。
【００４２】
このようにして、音響装置７の内部の空間を確実に分離し、スピーカ５の振動板２７における前面パネル１の方向と背面パネル２の方向に、それぞれ放音された音が、混ざらないようにしている。すなわち、図３および図４に示すように、音響装置７において振動板２７の前面側へ放出された音と、振動板２７の背面側へ放出された音とは、それぞれ反対方向（図３、図４における矢印に示す方向）に放音される。さらに、音響装置７の内部においても、振動板２７の前面側へ放出された音と、振動板２７の背面側へ放出された音とは、それぞれ反対方向に放音されるため、これにより、振動板２７の前面側へ放出された音と、振動板２７の背面側へ放出された音とが混ざらないように確実に分離することができる。
【００４３】
このように、前面パネル１に対して直角方向に音響装置７の開口部１ａが形成されているので、前面パネル１の方向では、スピーカ５の振動板２７の振幅方向に対して、直角方向に放音される。従って、スリムな形状で、かつ小型化や薄型化を実現した音響装置７を実現することができる。
【００４４】
一方、背面パネル２と直角方向に音響装置７の開口部２ａが形成されるので、背面パネル２の方向では、前面パネル１の放音方向と反対方向に放音されるようになる。これにより、スピーカ５の振動板２７の前面に放音された音と、背面に放音された音とを音響装置７の内部で確実に分離することができる。従って、背面からの逆位相成分を有する音が、前面に回り込むことによる悪影響を防止できるので、良好な音質を実現させることができる。
【００４５】
これは、以下の理由によるものである。すなわち、音響装置７を映像表示パネル６１の辺に沿わせて配置した場合、前面パネル１の音響装置の開口部１ａから放音される音は、映像表示パネル６１の表示方向と同じ方向に放音される。一方、音響装置７の開口部２ａから放音される音は、音響装置７の開口部１ａから放音される音と反対方向に放音される。
【００４６】
この構成により、この音響装置７の開口部２ａから放音された音は、映像表示装置６０の内部に放音されることとなり、音響装置７の開口部２ａから放音された音は、映像表示装置６０の内部に取込まれることになる。これにより、音響装置７の開口部２ａから放音された音が、音響装置７の開口部１ａから放音された音と混ざることがなく、音響装置７の開口部１ａから放音された音に対して、悪影響を及ぼすことがなくなるためである。
【００４７】
仮に、映像表示装置６０の内部構造が完全な密閉構造ではなく、通気性を有する構造であったとしても、十分なる効果を得ることができる。この理由としては、音響装置７の開口部１ａと音響装置７の開口部２ａから放音される音は、それぞれ正反対の方向に放音されているため、背面からの逆位相成分を有する音が前面に回りこんで悪影響を及ぼすのを大きく低減させることができるためである。さらに、個々のスピーカ５には、隣接して配置されたスピーカ５同士の間を仕切る仕切り５ａを設けている。これにより、互いのスピーカ５から放音された音同士が相互に干渉して、特性や音質に悪影響を及ぼすことを抑制することができる。従って、良好な特性や音質を実現させることができる音響装置７を提供することができる。
【００４８】
以上のように、この音響装置７は、スピーカ５の振動板２７の振幅方向と直角方向に放音できる音響装置の開口部１ａを設け、この音響装置の開口部１ａから映像表示パネル６１の表示方向と同方向に放音できるようにするために、映像表示パネル６１の辺に沿わせて配置されている。この構成とすることにより、より一層、映像表示装置６０の小型化を実現することができる。
【００４９】
次に、この音響装置７について、より詳細に説明する。本実施の形態における音響装置７の長手方向（縦方向）の外形寸法は、セットへの取付け手段を含めると、約１６０ｍｍである。一方、音響装置７の奥行き方向の寸法となる短手方向（横方向）の外形寸法は、約１０ｍｍであり、２０ｍｍ以下とすることができ、従来にない小型化を実現することができる。ここで、音響装置７の内部には、全高寸法が約２ｍｍの小型スピーカ５を用いており、小型スピーカ５の全高寸法を５ｍｍ以下とすることができ、従来にない薄型化を実現することができる。
【００５０】
また、全高寸法である厚み方向に設けられたスリット状の開口部１ａやスリット状の開口部２ａの短径方向の幅寸法は約１．５ｍｍであり、２ｍｍ以下とすることができ、従来にない薄型化を実現することができる。そしてこれにより、音響装置７の全高寸法（すなわち厚み方向の外形寸法）は、約７ｍｍとしている。特に、内部に設けられた小型スピーカ５の全高寸法を５ｍｍ以下とし、音響装置７の奥行き方向の寸法となる短手方向（横方向）の外形寸法もしくは、全高寸法を、２０ｍｍ以下としている。
【００５１】
このように構成することで、従来の通常のテレビ用サイズのコーン型のスリム形状スピーカを使用した音響装置と比較して、映像表示装置６０の小型化を実現させることができる。さらに、映像表示装置６０の放音孔６３を映像表示パネルの辺に沿わせて配置させ、スリット状の放音孔６３の短径方向の寸法を、スリット状の開口部１ａやスリット状の開口部２ａの短径方向の幅寸法の約１．５ｍｍに合わせて２ｍｍ以下とすることで、映像表示装置６０の放音孔６３の短径寸法は、映像表示装置６０の高さ方向の寸法の１％以下とすることができる。すなわち、本実施の形態に係る映像表示装置６０においては、放音孔６３の短径寸法は、ケース６２の高さ方向の寸法の１％以下とすることができる。これにより、より一層、映像表示装置６０の狭額縁化が可能となり、小型化を実現させることができる。
【００５２】
また、映像表示装置６０の放音孔６３、音響装置７の開口部１ａの幅は、非常に細いため、例え子供が指を入れようとしたとしても、指が振動板などへ到達することはない。従って、誤って振動板を変形させてしまうようなことも防止することができる。それに加えて、本実施の形態ではフレーム２６、側面パネル３、ケース６２が重なり、３重構造となるため、振動板２７やスピーカ５は、この３重構造によって外力から防護されるので、落下など衝撃に対しても破壊や変形を防止することができる。そして、音響装置７には、これらの小型スピーカ５を結線するための配線手段６を設けて構成している。
【００５３】
ここで、音響装置７は、背面パネル２上に配線手段６を配置し、配線手段６上に８個の小型スピーカ５を直線状に連ねて配置させて構成している。尚、本実施の形態において、配線手段６には、プリント基板を用いており、このプリント基板上に形成されたプリント配線によりスピーカ５を電気的に接続している。
【００５４】
このように、スピーカ５は、プリント基板に配線されたプリント配線によって、接続されるので、ごく僅かな厚みで配線することができる。このような構成とすることにより、スピーカコードを空中配線してスピーカを接続する従来の方法に比べて、スピーカコードをなくすことができるので、少なくともこのスピーカコード分の薄型化を図ることができる。さらに、配線手段６として、フレキシブルプリント基板を使用した場合、さらに配線手段６を薄くできるので、音響装置７のさらなる薄型化を図ることができる。
【００５５】
ここで、音響装置７にて再生できる周波数帯域は、主に中高音域であり、低音域の再生が必要な場合は、別途、低音域再生専用の音響装置を映像表示装置６０内に内蔵させることにより、全周波数帯域を十分に再生できる映像表示装置６０を実現することが可能となる。
【００５６】
なお、低音域の音の指向性は非常に広いため、低音域再生専用の音響装置は、指向性の狭い中高音域再生専用の音響装置のように映像表示装置の前面部に設ける必要はない。例えば、映像表示装置６０のケース６２内部で、かつ映像表示パネル６１の背面に配置する等によって搭載しても、十分に低音の再生が可能である。従って、低音域再生専用の音響装置は、映像表示装置６０の内部の空きスペースを有効に活用して配置できるので、映像表示装置６０の小型化を妨げることも少ない。もちろん、低インチサイズの映像表示装置等では、低音域再生専用の音響装置を特に設けずに使用することも可能である。
【００５７】
音響装置７に取付ける小型スピーカ５については、通常携帯電話等に使用されるマイクロスピーカと呼ばれる種類のスピーカを使用している。このマイクロスピーカと呼ばれる種類の小型スピーカ５は、携帯電話用として、専用の自動化量産設備により数多く生産されている。従って、その量産効果により１個あたりの価格が、従来の映像用のスピーカに比べて非常に安価であり、多数個使用しても音響装置７の価格を抑制することができる。
【００５８】
また、このマイクロスピーカを用いた小型スピーカ５は、従来の映像用のスピーカと比べて、耐入力が小さい。そこで、このような小型スピーカ５を多数個使用することにより、必要な耐入力を実現している。
【００５９】
さらに、ボイスコイル２８の寸法もできるだけ大きく設定して、振動板２７の外周部近傍に結合している。このような構成とすることにより、ボイスコイル２８の放熱性を良好にできるので、必要な耐入力を実現することができる。そして、振動板２７の外周部近傍にボイスコイル２８を結合することにより、振動板２７の縦長方向の両端部の振幅における位相を、ボイスコイル２８と同位相にすることができる。
【００６０】
このような構成とすることにより、小型スピーカ５の音の歪を低減させ、安定した音圧周波数特性を実現することができる。
【００６１】
また、ここでは振動板２７をフレーム２６の周縁部に支持するためのエッジは、振動板２７と異なる材料を用いて構成している。そして、エッジには柔軟性に富む弾性体材料を用い、さらに、振動板２７をインサートし、エッジと一体成形することにより、小型スピーカ５を高耐入力化することができる。このようにして、低域を拡大させる方向に広帯域再生化を実現できる小型スピーカ５を得ることができる。
【００６２】
ここでは、取付ける小型スピーカ５の数量として、８個連ねて配置した場合について説明したが、これに限定されることなく、２個、４個、６個、１０個、１２個、１６個、２０個、３０個というように自由に設定することが可能である。
【００６３】
本実施の形態における映像表示装置６０は、テレビジョン受像機であるプラズマテレビや液晶テレビを例に説明したが、本願における音響装置７は、ゲーム機器、スマートホン、タブレット型の携帯情報端末や携帯電話に代表される情報通信機器等に用いても良い。これらの中で情報通信機器やゲーム機器等の比較的小型の映像表示パネルを用いた機器には、２個や４個程度のスピーカの数量とすることにより、より一層小型化、薄型化を実現することがで、音響特性とサイズや価格のバランス面において最適な状態とすることができる。
【００６４】
また、タブレット型の携帯端末や、パーソナルコンピュータなどのように中型のサイズの映像表示パネルを用いた機器には、４個や６個程度のスピーカの数量とすることにより、音響特性とサイズや価格のバランス面において最適な状態とすることができる。さらに、テレビジョン受像機であるテレビ用や、広告や宣伝等に使用されるサイネージ用の映像表示パネル用には、８個や１０個さらにはそれ以上のスピーカの数量とすることで、音響的にスケールの大きなサービスエリアを実現することができ、音響特性とサイズや価格のバランス面において最適な状態とすることができる。以上のように、音響装置７が使用される機器の大きさに応じ、適宜そのスピーカ５を連結する個数を選択すればよい。
【００６５】
従って、音響装置７が搭載される映像表示装置６０は、上述の機器だけに限定されるものではなく、映像が表示される装置であれば全てに適用することができるものである。そして、そのような映像表示装置６０に対して音響装置７を搭載すれば、映像表示装置の小型化や薄型化や省スペース化を実現することができる。そして、直線状に連ねて配置させて構成し、配線する最小単位の数量として、最低限２個あればよい。特に、偶数個連ねて構成させることで、各々のスピーカの直並列接続の組合せが容易になる。
【００６６】
このような構成とすることにより、音響装置７の全体を規定のインピーダンスに設定することが容易になり、従って、生産性を向上させることができる。
【００６７】
この音響装置７に取付ける小型スピーカの数量は、搭載されるテレビの許容寸法や、音響装置に要求される耐入力や、必要な音量を満足させるための音圧レベルを確保できる数量を考慮して設定すればよい。
【００６８】
以上のように、小型スピーカ５を直線状に連ねて配置させて構成することにより、音響装置７としてテレビなどの映像表示パネル６１の両側面に搭載しやすい寸法を実現することができる。
【００６９】
本実施の形態において、小型スピーカ５の外形形状は長方形としているが、これは他の形状でもかまわない。例えば、長方形やトラック形や楕円形の小型スピーカ５を用いても良い。
【００７０】
近年の携帯電話等の情報通信機器の小型化やコンパクト化に伴って、長方形を含むスリム形状（トラック形や楕円形）が主流になりつつあるため、小型スピーカの形状については、既存の小型スピーカであっても豊富に存在し自由に選択が可能である。従って、トラック形や楕円形の外形形状を有する小型スピーカを使用しても、同様の効果を得ることができ、搭載する映像表示装置のデザインや音響装置のデザインおよび特性や音質に合わせて自由に選択が可能である。
【００７１】
このような構成とすることにより、その量産効果により、スリム形状の小型スピーカ５は安価に入手が可能であり、これらのスリム形状のマイクロスピーカを使用すれば、映像表示装置６０の低価格化を実現することができる。
【００７２】
以上、音響装置７に使用される小型スピーカ５の種類として、動電型である小型のマイクロスピーカを使用した場合について説明した。
【００７３】
しかし、本願における音響装置７に使用される小型スピーカ５は、これに限定されることなく、圧電型や静電型等、小型かつ薄型であればどのような種類のスピーカであっても良い。これらの場合でも、動電型のマイクロスピーカを使用した場合と同様の効果を得ることができる。次に、スピーカ５の振動板２７の前面に放音された音と背面に放音された音とを分離する方法について説明する。
【００７４】
スピーカ５の外形形状を、長方形として、この長方形の外形形状を持つスピーカ５を直線状に結合するとともに、さらにこの結合されたスピーカ５全体の外周部に側面パネル３を結合することで、前面に放音された音と背面に放音された音とを分離している。このとき、空気漏れをなくす目的で、接着剤やシーリング剤を併用することで、より一層空気漏れをなくすことができ、良好な音質を実現することができる。
【００７５】
また、スピーカ５の外形形状が、トラック形や楕円形の場合には、これらのスピーカを取付けるためのバッフル板をさらに設けて構成することで、簡単に空気漏れをなくすことができ、良好な音質を実現することができる。すなわち、トラック形や楕円形のスピーカをバッフル板に取付け、このバッフル板を、側面パネル３に結合することで、前面に放音された音と背面に放音された音とを確実に分離することができる。そして、この場合も同様に、空気漏れをなくす目的で、接着剤やシーリング剤を併用することで、より一層空気漏れをなくすことができ、良好な音質を実現することができる。
【００７６】
さらに、個々のスピーカ５を仕切るための仕切り５ａが設けられていることから、互いのスピーカ同士が相互に干渉して、音質や特性に悪影響を及ぼすこともなく、良好な音質や特性を実現することができる。この仕切り５ａについては、前面パネル１の開口部１ａ側と、背面パネル２の開口部２ａ側の両側に形成することで、個々のスピーカ５を完全に仕切ることができる。
【００７７】
また、背面パネル２をプリント基板で構成する場合には、仕切り５ａを前面パネル１のみに形成しても良い。そして、スピーカ５のフレーム２６と前面パネル１に設けられた仕切り５ａを密着させることで、個々のスピーカ５を完全に仕切ることができる。一方、この場合、背面パネルの方向には仕切り５ａが設けられていないため、フレーム２６を仕切りとして代用して、フレーム２６の側面に放音孔を設けて、前面に放音された音と反対方向に放音させることで同様の効果を得ることができる。
【００７８】
さらに、別の方法として、前面パネル１または背面パネル２のいずれか一方に、スピーカ５の全高寸法以上の仕切りを設けて、この仕切りの中にスピーカ５を挿入する構成としても良い。この仕切り５ａについては、前述の構成通り個々のスピーカ５の全てに、それぞれ仕切り５ａが設けられることがスピーカ同士の相互干渉防止の観点から望ましい。しかし、これに限定されることなく、スピーカ５の２個ずつを一組として仕切りを設けたり、背面パネル２側の仕切りを減らしたり、また、一部または全部をなくしたりと所望の特性や音質に応じて対応することで、コストパフォーマンスを向上させることができる。
【００７９】
さらに、図３では、スピーカ５のヨーク２３と背面パネル２との間に隙間を設けた構成としているが、ヨーク２３と背面パネル２とを密着させて結合し、フレーム２６の側面部に放音孔を設けて、背面側に放音する構成としても良い。この構成とすることで、スピーカ５のヨーク２３と背面パネル２との間の隙間と、背面パネル２側の仕切りをなくすことができ、さらなる薄型化と低コスト化を実現することができる。
【００８０】
また、前面パネル１を側面まで延長させて側面パネル３を構成し、前面パネル１と側面パネル３とを同じ材料で一体化して構成して、側面パネル３をスピーカ５のガイドとして使用することで生産効率を向上させる構成としても良い。
【００８１】
次に、スピーカ５および音響装置７の外形や寸法の詳細について説明する。音響装置７の外形形状については、映像機器であるプラズマテレビや液晶テレビの映像表示パネルの両側面や上下面に配置させることを前提に考えれば、細長い長方形の形状とすることが望ましい。
【００８２】
そして、現在、汎用的に携帯電話等に使用されている小型のマイクロスピーカと呼ばれる種類のスピーカは、外形が長方形の形状である場合には、横寸法が約９ｍｍで、縦寸法が約１６ｍｍで、厚み方向すなわち全高寸法が約３ｍｍ程度のマイクロスピーカが主流である。このようなスピーカの外形寸法であれば、スピーカを多数個連ねて細長い長方形形状の音響装置７を構成するのに都合が良い。この汎用的なマイクロスピーカを使用して、音響装置７を構成すると、スピーカを８個使用して長手方向に直線状に連ねて配置させた場合は、音響装置７の外形寸法のうちの短手方向である横方向の外形寸法が約１０ｍｍとなり、小型化を図ることができる。そして、長手方向である縦方向の外形寸法がセットへの取付手段を含めると、約１６０ｍｍとなり、スリム化を図ることができる。
【００８３】
ここで、セットへの取付手段は、音響装置７の長手方向の両端に設けられ、孔や切欠きとしている。一方、音響装置７の外形寸法のうちの厚み方向の外形寸法、すなわち全高寸法については、約７ｍｍとすることができ、薄型化を図ることができる。
【００８４】
以上の構成とすることで、音響装置７の外形寸法のうちの長手方向である縦方向の外形寸法と短手方向である横方向の外形寸法とのアスペクト比を１０以上とすることができ、従来にない高アスペクト比で薄型化を可能とする音響装置７を実現することができる。そして、以上のように小型マイクロスピーカを８個使用して、長手方向に直線状に連ねて配置させ、前面パネル１の方向に、スピーカ５の振動板２７の振幅方向と直角方向に放音できるように開口部１ａを形成し、この開口部１ａを正面方向に向けて配置することで、スリム形状で、小型化や薄型化を実現することができる。
【００８５】
また、背面パネルの方向では、前面パネルの放音方向と反対方向に放音できるように開口部２ａを形成して構成することで、スピーカ５の振動板２７の前面に放音された音と背面に放音された音とを確実に分離して、背面からの逆位相成分を有する音が前面に回りこんで悪影響を及ぼすのを防止することができるため、音圧レベルの低下を防止し、低歪で、良好な音質を実現することができる。さらに、開口部１ａや開口部２ａを防塵ネットで覆って構成することで、開口部１ａや開口部２ａの内部に細かい塵や埃が浸入して、異常音を発生する等の動作不良を防止することができ、品質や信頼性を向上させることができる。
【００８６】
また、この防塵ネットの開口率を選択することにより、通気性を調整することができるため、スピーカ５に与える音響負荷を調整することで、音響装置７の音質や音圧周波数特性を自由に調整することができる。特に、スピーカ５の振動板２７の背面に放音される音に対して、音響負荷を与えて音響装置７の音質や音圧周波数特性を調整することで、精度の高い音質の調整が可能となり、背面からの逆位相成分を有する音が前面に回りこんで悪影響を及ぼすのを一層防止することができるため、音圧レベルの低下防止や低歪化等の大きな効果を発揮させることができる。
【００８７】
以上、スピーカ５および音響装置７の詳細について説明したが、次に、音響装置７を映像表示装置６０のケース６２内部に固定する方法について説明する。
【００８８】
図６Ａは、本発明の実施の形態１に係る映像表示装置６０に音響装置７を固定した状態を示す正面図である。図６Ａは、映像表示装置６０内部から映像表示装置６０の前面に向かって固定の様子を表した図である。図６Ｂは、本発明の実施の形態１に係る映像表示装置６０に音響装置７を固定した状態を示す斜視図である。
【００８９】
図６Ａ、６Ｂに示すように、本実施の形態において音響装置７は、映像表示装置６０のケース６２に対して、ケース内側から弾性体であるクランパ７０によって加圧することにより固定している。クランパ７０には、押圧部７０ａと音響装置７に押圧される端部７０ｂが設けられている。この押圧部７０ａを押すと、クランパ７０による音響装置７の押さえつけ状態が解除される。
【００９０】
また、映像表示装置６０のケース６２内部に、音響装置７を定位置に位置決めするための位置決めピン７１を設けている。そして、位置決めピン７１を音響装置７のセットへの取付手段である孔や切欠きに嵌合させ、位置決めさせて背面方向からクランパ７０によって加圧固定することで、音響装置７を位置ずれが発生することなく精度良くケース６２の内部に固定することができる。もちろん、本来の搭載方法である音響装置７のセットへの取付手段である孔や切欠きを用いてビス締めにより取付ける方法としても良いが、取付け用のビスの削減や、ビス締めによる生産工数の削減を目的として、弾性体であるクランパ７０により加圧固定する方法としている。
【００９１】
従って、ここでは音響装置７のセットへの取付手段である孔や切欠きは、位置決めピン７１を挿入するために用いており、このようにすることで音響装置７を位置ずれが発生することなく精度良く、かつ生産効率良くケース６２の内部に固定することが可能となる。
【００９２】
ここで、弾性体であるクランパの材料としては、ポリオキシメチレンやポリアセタール（ＰＯＭ）を使用している。これらの材料を使用することで、弾性体であるクランパ７０の寸法安定性を向上させ、耐熱性や機械的強度を高めることができるため、クランパ７０を使用した音響装置７のケース６２内部への加圧固定の精度を高め、安定性を向上させることができ、品質や信頼性を向上させることができる。そして加圧時には、約４００ｇの加重で音響装置７を、映像表示装置６０のケース６２内部に加圧して固定している。このように、ケース６２の内側から弾性体であるクランパ７０により約４００ｇの加重で、音響装置７を挟み込むように固定している。したがって、常時加圧状態を維持させることができ、音響装置７をケース６２に強固に固定することができる。
【００９３】
さらには、音響装置７が音を発生したときに生じる振動の低減や吸収も実現することができるので、ビリツキ音等の異常音や歪の発生を防止することができる。ここで、弾性体であるクランパ７０による加重は、３００ｇ以上で、かつ５００ｇ以下とすることが望ましい。クランパ７０による加重を、３００ｇ以上で、かつ５００ｇ以下に設定することで、音響装置７を最適な状態でケース６２へ加圧することにより、音響装置７に変形を伴うような大きな負荷をかけることなく、常時最適な加圧状態を維持させることができる。同時に、音響装置７が音を発生したときに生じる振動の低減や吸収も十分に実現することができるので、ビリツキ音等の異常音や歪の発生も防止しながら、音響装置７をケース６２に強固に固定することが可能となる。
【００９４】
一方、クランパ７０による加重が３００ｇより小さい場合には、音響装置７をケース６２に強固に固定することができず不安定な状態となり、また音響装置７が音を発生したときに生じる振動の低減や吸収も十分に実現することができなくなる。さらに、クランパ７０による加重が５００ｇより大きい場合には、音響装置７に変形を伴うような大きな負荷となり、変形によりケース６２との間に隙間が生じやすくなるため、この隙間からの音漏れにより、音質劣化や歪の発生の原因となる。
【００９５】
そして、クランパ７０の材料として、耐熱性や機械的強度の高いポリオキシメチレンやポリアセタール（ＰＯＭ）を使用していることで、ヒートショックによる劣化や経年劣化が非常に少なく、長期的に安定した加圧固定を実現することができるため、長期間にわたり品質や信頼性を向上させることができる。
【００９６】
この構成とすることで、取付け用のビスを数点削減することができ、さらに、ビス締めによる生産工数も削減することができ、映像表示装置６０の低価格化を実現することができる。
【００９７】
なお、映像表示装置６０の映像表示パネル６１の下辺に音響装置７の長手方向を沿わせて配置した場合について説明した。しかし本願における構成は、これに限定されることなく、図７Ａ、および７Ｂに示すように、音響装置７を映像表示パネル６１の左右それぞれ一対に設けても良い。この場合、放音孔は、映像表示パネル６１の左右側に設けられることとなる。このように音響装置７を映像表示装置６０の左右側に配置することによって、音響装置７を映像表示パネル６１の下方に配置した場合と同様に、映像表示装置６０の狭額縁化を実現させることができる。またこの場合、映像表示装置６０の上下方向の寸法を小さくすることができ、さらに、左右それぞれ一対に設けられた音響装置７の距離を大きく確保することができるため、ステレオ再生時のチャンネルセパレーションを良好化させることができるという効果も有している。
【００９８】
（実施の形態２）
実施の形態１においては、映像表示装置６０は、映像表示パネル６１の下辺に音響装置７が設けられる例であった。これに対し、本実施形態においては、図８、および図９に示すように、映像表示装置６０ａは、音響装置７が映像表示パネル６１の背面で、かつ映像表示パネル６１の外周部より内側に配置される。すなわち、音響装置７は、映像表示パネル６１の背面で、映像表示パネル６１の下方近傍に、その長手方向が、映像表示パネル６１の下辺に沿うように配置される。つまり、小型のスピーカ５が映像表示パネル６１の下辺に沿うように複数個並んで配置される。なお、本実施の形態では、実施の形態１と同等な構成には、同等な符号を付加し、説明を省略する場合がある。また、音響装置７は、図６Ａで示す位置決めピン７１と、ケース６２の固定箇所に設けられたネジ穴を用いてネジ止めすることでケース６２に固定される。
【００９９】
小型スピーカ５の振動板２７の振幅方向は、映像表示パネル６１の映像表示面と実質的に平行方向または実質的に直交方向となるように配置可能であるが、図８は、振動板２７の振幅方向が、映像表示パネル６１の映像表示面と実質的に直交方向で、音響装置７の開口部を、映像表示パネル６１の映像表示面と実質的に直交面上、すなわち、下方向に向けて構成した例である。
【０１００】
また、放音孔６３は、ケース６２ａの背面に設けられ、音響装置７のスリット状の開口部１ａに対応する位置に設けられる。放音孔６３を映像表示パネル６１の背面の下側に設けることにより、視聴者の耳に近い位置を確保することができる。そして、放音孔６３から下方に向けて放音させることにより、放音された音の一部は、床面に反射して視聴者の耳に届くことから、視聴者の耳に効率よく伝達させることができる。
【０１０１】
上述したとおり、小型スピーカ５の振動板２７の振幅方向は、映像表示パネル６１の映像表示面と実質的に直交方向である。よって、小型スピーカ５は、振動板２７の前面（図８における振動板の前方）側が映像表示パネル６１の側を向く方向に配置され、小型スピーカ５は、主に振動板２７の前面側の方向へ放音された音を放音孔６３から映像表示装置６０ａの外部へと放音する。
【０１０２】
このような構成においても、振動板２７の背面側で発生した逆位相成分の音が、前面側に回り込むことを抑制することができ、振動板２７の前面側へと放音された音と、振動板２７の背面側へと放音された逆位相成分の音とが、混ざってしまうことを抑制することができる。従って、音圧レベルの低下等の悪影響を及ぼすことを防止することができ、特性や音質の良好な音を再生することができる。
【０１０３】
また、本実施形態の構成によっても、映像表示装置６０ａの放音孔６３からの放音が可能となるので、映像表示装置６０ａの狭額縁化が可能となる。特に、音響装置７が映像表示パネル６１の背面で、かつ映像表示パネル６１の外周部より内側に配置して構成されることから、映像表示パネル６１の外周部には最低限必要となるケース６２ａが存在するだけであり、極限まで狭額縁化が可能となる。
【０１０４】
なお、図８、および図９は、映像表示装置６０ａの映像表示パネル６１の背面で、映像表示パネル６１の下辺近傍に音響装置７の長手方向を沿わせて配置した例であったが、音響装置７を映像表示パネル６１の背面で、映像表示パネル６１の左右近傍にそれぞれ一対に設けても良い。左右近傍に配置する場合でも、下方近傍に配置した場合と同様に、映像表示装置６０ａの薄型化を実現させることができる。また、左右それぞれ一対に設けられた音響装置７の距離を大きく確保することができ、さらに左右それぞれ反対方向に放音させることができるため、ステレオ再生時のチャンネルセパレーションを良好化させることができる。
【０１０５】
なお、低音域の音の指向性は非常に広いため、低音域再生専用の音響装置７は、映像表示装置６０ａのケース６２ａ内部の映像表示パネル６１の背面であれば、どの位置に配置しても、十分に低音の再生が可能である。
【０１０６】
以上のように、本発明の音響装置７は、低インチサイズから高インチサイズまでの映像表示装置６０、６０ａに対して、広く搭載することが可能である。従って、音響装置７を搭載した映像表示装置６０、６０ａは、上記に説明したような音響装置７の有する特徴によって、幅広いサイズの映像表示装置６０、６０ａに対し、従来にない薄型化や小型化や省スペース化を実現することができる。また、音響装置７は、小型スピーカ５が多数連なって構成されていることから、音質的には中高域の明瞭度が高く、歪の少ない良好な音質を実現することができる。また、量産効果により価格が安価なマイクロスピーカを多数個使用することにより、コスト的要求についても満足できる映像表示装置６０、６０ａを提供することができる。
【０１０７】
高インチサイズの映像表示装置６０、６０ａについては、音響装置７を左右に一対の使用のみならず、これを最小単位として、上下方向や左右方向に多数個配置しても良く、このように搭載することにより、要求される耐入力や音圧レベルの調整を図ることもできる。さらに必要であれば、映像表示装置６０、６０ａの映像表示パネル６１の外周部を囲むケース６２、６２ａの外周の全周に沿わせるように枠体状に形成させて配置することも可能であり、このように搭載することにより、要求される耐入力や音圧レベルを一層満足させることができる。
【０１０８】
以上説明したように、本発明の映像表示装置６０、６０ａに用いる音響装置７は、映像表示パネル６１の外周部の上下方向または左右方向あるいは映像表示パネル６１の裏面側に配置されるものであり、小型スピーカを直線状に２個以上連ねて構成したものである。そして、映像表示装置６０、６０ａのケース６２、６２ａの映像表示パネル６１の外周部には、音響装置７のスリット状の開口部１ａに対応する位置に映像表示装置６０、６０ａの放音孔６３を設け、映像表示装置６０、６０ａの放音孔６３から音響装置７の音が放音される構成としている。さらに、音響装置７の奥行き方向の寸法は、映像表示パネル６１の奥行き方向の寸法と同じか、または小さくして構成している。
【０１０９】
以上の構成とすることにより、映像表示装置６０、６０ａの狭額縁化が可能となる。従って、映像表示装置６０、６０ａの小型化や薄型化や省スペース化を実現させることができ、市場要求であるコンパクトな映像表示装置６０、６０ａを実現することができる。
【産業上の利用可能性】
【０１１０】
本発明にかかる映像表示装置は、小型化や薄型化が必要とされる映像表示装置に適用できる。
【符号の説明】
【０１１１】
１ａ，２ａ    開口部
５    スピーカ（小型スピーカ）
７    音響装置
２７    振動板
６０，６０ａ    映像表示装置
６１    映像表示パネル
６２，６２ａ    ケース
６３    放音孔
【図１】
2012153537.tif 000003
【図２】
2012153537.tif 000004
【図３】
2012153537.tif 000005
【図４】
2012153537.tif 000006
【図５】
2012153537.tif 000007
【図６Ａ】
2012153537.tif 000008
【図６Ｂ】
2012153537.tif 000009
【図７Ａ】
2012153537.tif 000010
【図７Ｂ】
2012153537.tif 000011
【図８】
2012153537.tif 000012
【図９】
2012153537.tif 000013
【図１０】
2012153537.tif 000014
【図１１】
2012153537.tif 000015
【手続補正書】
【提出日】平成25年1月7日(2013.1.7)
【手続補正１】
【補正対象書類名】明細書
【補正対象項目名】全文
【補正方法】変更
【補正の内容】
【発明の詳細な説明】
【技術分野】
【０００１】
本発明は、テレビジョン受像機、ゲーム機器、パーソナルコンピュータ、情報通信機器、サイネージ等に用いられる表示装置と、音響装置とを備えた映像表示装置に関するものである。
【背景技術】
【０００２】
近年、映像業界では、テレビジョン受像機（以下、「テレビ」と略称する）において、プラズマテレビや液晶テレビに代表されるように、これらの映像表示装置の薄型化や省スペース化が要求されてきている。
【０００３】
奥行き寸法が大きかったブラウン管を用いたテレビが主流であった過去の時代では、テレビの前面にブラウン管を配置しても、背面方向に進むにつれて窄んだ形状に形成されているブラウン管背面部の奥行き寸法を活用して容積の大きな音響装置を搭載することが可能であった。従って、前面部の形状がスリムタイプ、すなわち幅が狭いタイプの音響装置でさえあれば、奥行き寸法が大きくとも、テレビに音響装置を搭載する上で、特に問題になることはないものであった。
【０００４】
しかしながら、プラズマテレビや液晶テレビの場合には、その表示モジュール自体の形状が薄いだけでなく、その背面部に余分なスペースを設ける必要がない。しかも、映像を表示するプラズマパネル部や液晶パネル部の面積はできるだけ大きく確保してテレビ等の映像表示装置としての視認性を高めるとともに、それ以外の部分の面積や体積についてはできるだけ小さくして、いわゆる狭額縁化して小型化や薄型化や省スペース化を高めることで、その商品価値を向上させることが要望されている。従って、音響装置を搭載する上で、奥行き方向の容積を活用するのが非常に困難になってきている。よって、これらの映像表示装置に搭載される音響装置についても、小型化や薄型化の市場要求が避けられないのが現状である。
【０００５】
以下、従来の電子機器である映像表示装置および、この映像表示装置に搭載される音響装置について図面を用いて説明する。
【０００６】
図１０は、従来の電子機器である映像表示装置の外観を示す斜視図である。図１１は、従来の映像表示装置に用いられる音響装置の長手方向の断面図である。プラズマテレビや液晶テレビ等の映像表示装置に用いられる従来の音響装置は、図１０に示すように、プラズマパネル部や液晶パネル部の下側面に正面方向を向けてスピーカーシステム３７を横長に配置する構成が多用されていた。この場合、スピーカーシステム３７の内部には、横長の音響装置の形状に合わせて、横長のスピーカである通常のテレビ用サイズのコーン型のスリム形状スピーカ、すなわち幅が狭いタイプのスピーカが多用されていた。
【０００７】
図１１に示すように、従来の音響装置のスピーカーシステム３７は、エンクロージャ３４とコーン型のスリム形状スピーカ３５とにより構成されていた。エンクロージャ３４は、前面パネル３１と、背面パネル３２と、側面パネル（図示せず）により構成されていた。そして、エンクロージャ３４の前面パネル３１に、内側からコーン型のスリム形状スピーカ３５が取付けられて、スリム形状スピーカ３５に備えられたターミナルにスピーカコードが結線され、このスピーカコードを内部で空中配線により引回して配線していた。
【０００８】
スピーカーシステム３７は、プラズマパネル部や液晶パネル部の下側面に正面方向を向けて配置してもプラズマテレビや液晶テレビ等の映像機器が小型化できるように横長形状に形成されていた。このため、スピーカーシステム３７の横長形状に合せられるように、横長のスピーカである通常のテレビ用サイズのコーン型のスリム形状スピーカ３５が使用されていた。
【０００９】
コーン型のスリム形状スピーカ３５は、着磁されたマグネット４１と内磁型の磁気回路４４と横長のスリム形状のフレーム４６とコーン型のスリム形状振動板４７とボイスコイル４８とダンパー４９とダストキャップ５０とから構成していた。
【００１０】
内磁型の磁気回路４４は、マグネット４１を上部プレート４２およびヨーク４３により挟み込んで構成されていた。そして、内磁型の磁気回路４４を横長のスリム形状のフレーム４６の下部と結合し、スリム形状フレーム４６の周縁部に、コーン型のスリム形状の振動板４７を接着する。そして、コーン型のスリム形状振動板４７に、スリム形状振動板４７を駆動させるためのボイスコイル４８を、結合し、ボイスコイル４８をダンパー４９にて中心保持して磁気回路４４の磁気ギャップ４５に、はまり込むように結合し、コーン型のスリム形状振動板４７の前面にダストキャップ５０を接着していた。（例えば、特許文献１、２、３、４参照）。
【００１１】
従来の映像表示装置では、市場要求である小型化や薄型化や省スペース化をある程度実現させることができる構成となっている。しかしながら、商品価値の向上のために、さらなる小型化や薄型化や省スペース化を要求されると、通常のテレビ用サイズのスピーカを使用している以上、従来の映像表示装置では、既に限界に達している。
【００１２】
すなわち、従来の通常のテレビ用サイズのコーン型のスリム形状スピーカは、スピーカの縦寸法と横寸法を小さく設計することは可能である。しかし、コーン型である以上、スリム形状スピーカはある程度の奥行き寸法が必要となる。これにより、スピーカのエンクロージャ寸法を含めると、スピーカが映像表示パネルの奥行き方向の寸法よりも大きくなる。
【００１３】
従って、映像表示装置としての小型化や薄型化や省スペース化を実現させることが困難になる。
【先行技術文献】
【特許文献】
【００１４】
【特許文献１】特開２００８−１５３７１６号公報
【特許文献２】特開平８−２２３６７８号公報
【特許文献３】特開平８−２５１６８６号公報
【特許文献４】特開２００５−７９８０９号公報
【発明の概要】
【００１５】
本発明の映像表示装置は、映像を表示する映像表示パネルと、映像表示パネルの外周部を囲むケースと、ケース内部に設けられ、音を放射する音響装置と、から構成される。音響装置は、映像表示パネルの外周部の上下方向または左右方向に映像表示パネルに沿わせて配置されるとともに、複数の小型のスピーカが直線状に少なくとも２個以上連ねて構成されている。映像表示パネルの外周部を囲むケースには、音響装置の開口部に対応して放音孔が設けられている。音響装置からの発生音は、開口部を介して放音孔から外部へ放音されるとともに、音響装置の奥行き方向の寸法は、映像表示パネルの奥行き方向の寸法と同じか、または小さくして構成している。
【図面の簡単な説明】
【００１６】
【図１】図１は、本発明の実施の形態１に係る映像表示装置の断面図である。
【図２】図２は、本発明の実施の形態１に係る映像表示装置の斜視図である。
【図３】図３は、本発明の実施の形態１に係る音響装置の短手方向の断面図である。
【図４】図４は、本発明の実施の形態１に係る音響装置の斜視図である。
【図５】図５は、本発明の実施の形態１に係る音響装置の分解斜視図である。
【図６Ａ】図６Ａは、本発明の実施の形態１に係る映像表示装置に音響装置を固定した状態を示す正面図である。
【図６Ｂ】図６Ｂは、本発明の実施の形態１に係る映像表示装置に音響装置を固定した状態を示す斜視図である。
【図７】図７は、本発明の実施の形態１に係る音響装置の他の配置例における斜視図である。
【図８】図８は、本発明の実施の形態２に係る映像表示装置の断面図である。
【図９】図９は、本発明の実施の形態２に係る映像表示装置の斜視図である。
【図１０】図１０は、従来の映像表示装置の斜視図である。
【図１１】図１１は、従来の映像表示装置に用いられる音響装置の長手方向の断面図である。
【発明を実施するための形態】
【００１７】
（実施の形態１）
以下、本発明の一実施形態である、実施の形態１について図面を用いて説明する。薄型の映像表示装置としては、プラズマテレビや液晶テレビなどが挙げられる。本実施の形態における映像表示装置は、映像表示パネルの下辺に音響装置が設けられる場合について説明する。
【００１８】
ここで、この音響装置は、その長手方向が、映像表示パネルの下辺に沿うように配置され、小型のスピーカが複数個並んで配置されたものである。尚、以降の説明では、小型のスピーカの数量を８個連ねて配置した場合を例に挙げて説明し、本発明における小型のスピーカについては、小型スピーカ、マイクロスピーカまたは単にスピーカと略称する。本実施例では、小型スピーカの振動板が振動する際の振幅方向（以下、「振動板の振幅方向」と略記する）は、映像表示パネルの映像表示面に対し、実質的に平行または、実質的に直交方向となるように配置されている。なお、以降の説明では、小型スピーカの振動板の振幅方向が、映像表示パネルの映像表示面と実質的に平行方向である場合について説明する。この場合、特に、映像表示装置の狭額縁化が一層実現可能となる。
【００１９】
図１は、本発明の実施の形態１に係る映像表示装置６０の断面図である。図２は、本発明の実施の形態１に係る映像表示装置６０の斜視図である。図３は、本発明の実施の形態１に係る音響装置７の短手方向の断面図を示したものである。図４は、本発明の実施の形態１に係る音響装置７の斜視図である。図５は本発明の実施の形態１に係る音響装置７の分解斜視図である。
【００２０】
図１から図５に示すように、本発明の実施の形態１に係る映像表示装置６０は、映像表示パネル６１とケース６２と音響装置７とで構成されている。
【００２１】
図１に示すように、映像表示パネル６１は、映像表示装置６０の中央部に配置されており、映像を表示する。映像表示パネル６１は平板状であり、例えばプラズマディプレイパネルや、液晶パネルなどである。ケース６２は、映像表示パネル６１の外周部を囲むフレーム状の部材であるフロントキャビネット部（額縁部）と、映像表示パネル６１の背面を覆うバックキャビネット部からなる。また、フロントキャビネット部は、音を放音する音響装置７を収納できる構造となっている。音響装置７は、複数個の小型スピーカ５が、映像表示パネル６１に沿って直線状に連なって構成されている。そして、音響装置７は、映像表示パネル６１の外周部の下方向に配置されている。また、音響装置７には、一例として８個の小型スピーカ５が収納されている。音響装置７の具体的な構成については、図３、図４、および図５を用いて、後に詳しく説明する。
【００２２】
上記の額縁部の前面側には放音孔６３が設けられる。また、額縁部内には、音響装置７を収納する収納部分が設けられており、額縁部の下方から音響装置７を挿入することにより、音響装置７は額縁部に固定される。そして、放音孔６３は、このようにして固定された音響装置７の開口部に対応して設けられている。すなわち、図２に示すように、音響装置７は、映像表示パネル６１の前面側、かつ映像表示パネル６１の外周部の外側に設けられることとなる。このような構成により、音響装置７の小型スピーカ５からの発生音は、音響装置７のスリット状の開口部１ａと映像表示装置６０のスリット状の放音孔６３を介して、映像表示装置６０の外部へと放音される。尚、本実施の形態において、映像表示装置６０の放音孔６３の形状は、１つの長方形形状としたが、１つの長円形状、または長方形形状、円形状あるいは長円形状などの複数の孔を直線状に並べて形成した形状であってもよい。
【００２３】
放音孔６３を映像表示パネル６１の下側に設けることにより、視聴者の耳に近い位置を確保することができ、さらに映像表示装置６０の放音孔６３を左右側それぞれ一対に設けることにより、良好な音質とステレオ再生を可能としている。
【００２４】
音響装置７の奥行き方向の寸法は、映像表示パネル６１の奥行き方向の寸法より小さくしている。これにより、音響装置７とケース６２の背面との間に隙間を形成することができる。したがって、この隙間には、音響装置７をケース６２へ固定するための固定部材等を、配置することができるため、映像表示装置６０を薄型化することが可能となる。尚、音響装置７の奥行き方向の寸法は、映像表示パネル６１の奥行き方向の寸法と同じであってもよい。
【００２５】
本実施の形態において、小型スピーカ５の振動板２７の振幅方向は、映像表示パネル６１の映像表示面と実質的に平行方向にしている。つまり、小型スピーカ５は、振動板２７の前面（図１における振動板の上方）側が映像表示パネルの下端面側を向く方向に配置され、小型スピーカ５は、主に振動板２７の前面側の方向へ放音された音を放音孔６３から映像表示装置６０の外部へと放音する構成としている。
【００２６】
ここで、振動板２７の背面側では、前面側へ放音される音の逆位相成分の音が発生し、振動板２７の背面側の方向へ放音された音は、ケース６２の内部へ放音され、可能な限り映像表示装置６０の外部へ漏れ出さないようにしている。この構成とすることにより、振動板２７の背面側で発生した逆位相成分の音が、前面側に回り込むことを抑制することができ、振動板２７の前面側へと放音された音と、振動板２７の背面側へと放音された逆位相成分の音とが、混ざってしまうことを抑制することができる。従って、音圧レベルの低下等の悪影響を及ぼすことを防止することができ、特性や音質の良好な音を再生することができる。
【００２７】
以上のような構成とすることにより、映像表示装置６０の放音孔６３からの放音が可能となるので、映像表示装置６０の狭額縁化が可能となる。さらに音質的に優れた映像表示装置６０を得ることができるので、高性能な映像表示装置６０の小型化、薄型化や省スペース化を実現させることができる。
【００２８】
図１、および図２に示すように、本実施の形態における小型スピーカ５は、振動板２７の前面側が映像表示パネル６１を向く方向で配置されている。これにより、音響装置７の放音孔６３は映像表示パネル６１へ近づけて配置しやすくなり、映像と音響の一体化を向上させ、リアリティーの高い映像と音響を提供することができる。
【００２９】
なお、小型スピーカ５は、振動板２７の背面側が映像表示パネル６１を向く方向に配置しても良い。この場合、音響装置７の放音孔６３は、小型スピーカ５の振動板２７の前面側に配置される。したがって、音響装置７の放音孔６３の位置は、映像表示パネル６１から離れた位置になる。このように、小型スピーカ５の搭載方向は、適宜変化させることができるので、映像表示装置６０の全体的なデザインの自由度を向上させることができる。
【００３０】
次に、図３に示す音響装置７と小型スピーカ５の構成について説明する。
【００３１】
本実施の形態における小型スピーカ５の磁気回路２４は、内磁型であり、着磁されたマグネット２１を上部プレート２２およびヨーク２３により挟み込んで構成されている。フレーム２６は、横長のスリム形状をなしており、磁気回路２４と結合されている。また、振動板２７も、スリム形状をなしており、フレーム２６の周縁部に接着されている。ボイスコイル２８は、振動板２７に結合され、振動板２７を駆動するとともに、磁気回路２４の磁気ギャップ２５に、はまり込むように結合して構成されている。
【００３２】
また、音響装置７において、小型スピーカ５の振動板２７の前面には、音響装置７の前面パネル１が設けられ、一方、これと反対側には音響装置７の背面パネル２が設けられ、この背面パネル２には配線手段６が設けられている。さらに、小型スピーカ５の側面には、小型スピーカ５を囲むように側面パネル３が設けられ音響装置７を構成している。音響装置７には開口部１ａが設けられ、開口部１ａは振動板２７で発生した音を放音するために形成されたものであり、本実施の形態では、開口部１ａは、振動板２７の前面側方向にスリット状に形成されている。すなわち、音響装置７の開口部１ａは、映像表示パネル６１の映像表示面と実質的に平行面上に構成している。一方、振動板２７の背面側の方向には、スリット状の開口部２ａが設けられている。尚、本実施の形態において、スリット状の開口部１ａおよびスリット状の開口部２ａは、ともに側面パネル３に設けられている。
【００３３】
ターミナル２９は、小型スピーカ５へ信号を供給する端子であり、ボイスコイル２８に結合されている。ターミナル２９は、背面パネル２に設けられた孔に挿入され、配線手段６と結合され、これにより、映像表示装置６０の内部に設けられたアンプ（図示せず）から出力された音声信号は、配線手段６を介して小型スピーカ５へ供給される。
【００３４】
本実施の形態において、配線手段６はプリント基板によって形成されており、この配線手段６上には８個の小型スピーカ５が装着されている。そして、ターミナル２９と配線手段６との間の電気的な結合方法は、はんだ付け等の結合手段により結合されている。このターミナル２９と配線手段６との間のはんだ付け接続は、例えばリフローはんだ付けなどにより、一括に行うことができ、このため、８個という多数個の小型スピーカを使用しても、生産性の向上を実現させることができる。尚、小型スピーカ５の外形形状は、長方形形状、トラック形状、楕円形状のうちのいずれかの形状であれば良い。さらに、スピーカを直線状に連ねて配置する方向は、スピーカの長手方向とする。これにより、多数個の小型スピーカ５を直線状に連ねて配置しても、音響装置７の形状を映像表示装置６０の狭額縁化を図りやすい形状にすることができる。
【００３５】
以上の構成とすることで、小型スピーカ５は、従来の通常のテレビ用サイズのコーン型のスリム形状スピーカと比較して、縦寸法、横寸法、全高寸法とも極端に小さくすることができる。さらにその構造上、平面状の振動板２７を使用していることと、ダンパーを使用しない構成であるため、特にスピーカ５の全高寸法を小さくすることができ、従って、音響装置７の全高寸法も小さくすることができる。
【００３６】
そして、このようにして全高寸法を小さくした音響装置７は、振動板２７の振幅方向が、映像表示パネルの映像表示面と平行するように配置されることにより、映像表示装置の狭額縁化を図ることに大きく貢献し、映像表示装置の小型化や薄型化や省スペース化を実現することができる。また、平面状の振動板２７を使用していることで、コーン型の振動板に比べて、音響装置７の前面パネル１との間に設けられた前面方向のスリット状の開口部１ａの形状に凹凸がほとんど発生することがない。従って、音響装置７の周波数特性や音質を劣化させる要因である前室効果や回折効果等の悪影響を低減させることができる。
【００３７】
以上、音響装置７の小型スピーカ５の振動板２７の振幅方向が映像表示パネル６１の映像表示面と平行するように構成した場合について説明したが、これに限定されることなく、小型スピーカ５の振動板２７の振幅方向を、映像表示パネル６１の映像表示面と直交方向に構成しても良い。この場合、映像表示装置６０の狭額縁化における効果は僅かながら低減する。しかし、小型スピーカ５の振動板２７から発生した音は、スリット状の開口部を通過させることなく直接外部に放音されるため、前室効果が発生しなくなる。従って、より良好な特性と音質を得ることができる音響装置７を実現することができる。
【００３８】
次に、映像表示装置６０のケース６２内部に設けられた音響装置７の詳細について説明する。
【００３９】
音響装置７は、図３、図４および図５に示すように、前面パネル１と背面パネル２は、ともにスピーカ５の振動板２７と対向して設けられ、振動板２７を挟み、互いに振動板２７の反対側の方向に配置されている。また、側面パネル３は、前面パネル１と背面パネル２とを結合している。そして小型スピーカ５は、これら前面パネル１、背面パネル２、側面パネル３で形成された音響装置７の中心部に配置されている。尚、本実施の形態では、８個の小型スピーカ５が直線状に連ねて配置されて、音響装置７内へ収納されている。ここで、個々のスピーカ５には、それぞれ個々のスピーカ５を分離するための仕切り５ａが設けられ、これにより、個々のスピーカ５から放音された音は、互いに干渉が生じにくくなる。
【００４０】
その結果、良好な特性と音質を実現することができる。音響装置７には、第１の開口部としてのスリット状の開口部１ａと、第２の開口部としてのスリット状の開口部２ａとが形成され、開口部１ａは、振動板２７の前方側において、前面パネル１に対して直角方向に形成されている。これにより、前面パネル１の方向では、スピーカ５の振動板２７の振幅方向と直角方向に放音される。
【００４１】
一方、音響装置７の開口部２ａは、振動板２７の背面側において、背面パネル２に対して実質的に直交方向に形成され、前方側の放音方向と反対方向に放音されるように形成されている。そして、音響装置７の開口部１ａの方向に放音された音と、音響装置７の開口部２ａの方向に放音された音とは、音響装置７の内部では混ざらないように完全に分離できる構成としている。
【００４２】
このようにして、音響装置７の内部の空間を確実に分離し、スピーカ５の振動板２７における前面パネル１の方向と背面パネル２の方向に、それぞれ放音された音が、混ざらないようにしている。すなわち、図３および図４に示すように、音響装置７において振動板２７の前面側へ放出された音と、振動板２７の背面側へ放出された音とは、それぞれ反対方向（図３、図４における矢印に示す方向）に放音される。さらに、音響装置７の内部においても、振動板２７の前面側へ放出された音と、振動板２７の背面側へ放出された音とは、それぞれ反対方向に放音されるため、これにより、振動板２７の前面側へ放出された音と、振動板２７の背面側へ放出された音とが混ざらないように確実に分離することができる。
【００４３】
このように、前面パネル１に対して直角方向に音響装置７の開口部１ａが形成されているので、前面パネル１の方向では、スピーカ５の振動板２７の振幅方向に対して、直角方向に放音される。従って、スリムな形状で、かつ小型化や薄型化を実現した音響装置７を実現することができる。
【００４４】
一方、背面パネル２と直角方向に音響装置７の開口部２ａが形成されるので、背面パネル２の方向では、前面パネル１の放音方向と反対方向に放音されるようになる。これにより、スピーカ５の振動板２７の前面に放音された音と、背面に放音された音とを音響装置７の内部で確実に分離することができる。従って、背面からの逆位相成分を有する音が、前面に回り込むことによる悪影響を防止できるので、良好な音質を実現させることができる。
【００４５】
これは、以下の理由によるものである。すなわち、音響装置７を映像表示パネル６１の辺に沿わせて配置した場合、前面パネル１の音響装置の開口部１ａから放音される音は、映像表示パネル６１の表示方向と同じ方向に放音される。一方、音響装置７の開口部２ａから放音される音は、音響装置７の開口部１ａから放音される音と反対方向に放音される。
【００４６】
この構成により、この音響装置７の開口部２ａから放音された音は、映像表示装置６０の内部に放音されることとなり、音響装置７の開口部２ａから放音された音は、映像表示装置６０の内部に取込まれることになる。これにより、音響装置７の開口部２ａから放音された音が、音響装置７の開口部１ａから放音された音と混ざることがなく、音響装置７の開口部１ａから放音された音に対して、悪影響を及ぼすことがなくなるためである。
【００４７】
仮に、映像表示装置６０の内部構造が完全な密閉構造ではなく、通気性を有する構造であったとしても、十分なる効果を得ることができる。この理由としては、音響装置７の開口部１ａと音響装置７の開口部２ａから放音される音は、それぞれ正反対の方向に放音されているため、背面からの逆位相成分を有する音が前面に回りこんで悪影響を及ぼすのを大きく低減させることができるためである。さらに、個々のスピーカ５には、隣接して配置されたスピーカ５同士の間を仕切る仕切り５ａを設けている。これにより、互いのスピーカ５から放音された音同士が相互に干渉して、特性や音質に悪影響を及ぼすことを抑制することができる。従って、良好な特性や音質を実現させることができる音響装置７を提供することができる。
【００４８】
以上のように、この音響装置７は、スピーカ５の振動板２７の振幅方向と直角方向に放音できる音響装置の開口部１ａを設け、この音響装置の開口部１ａから映像表示パネル６１の表示方向と同方向に放音できるようにするために、映像表示パネル６１の辺に沿わせて配置されている。この構成とすることにより、より一層、映像表示装置６０の小型化を実現することができる。
【００４９】
次に、この音響装置７について、より詳細に説明する。本実施の形態における音響装置７の長手方向（縦方向）の外形寸法は、セットへの取付け手段を含めると、約１６０ｍｍである。一方、音響装置７の奥行き方向の寸法となる短手方向（横方向）の外形寸法は、約１０ｍｍであり、２０ｍｍ以下とすることができ、従来にない小型化を実現することができる。ここで、音響装置７の内部には、全高寸法が約２ｍｍの小型スピーカ５を用いており、小型スピーカ５の全高寸法を５ｍｍ以下とすることができ、従来にない薄型化を実現することができる。
【００５０】
また、全高寸法である厚み方向に設けられたスリット状の開口部１ａやスリット状の開口部２ａの短径方向の幅寸法は約１．５ｍｍであり、２ｍｍ以下とすることができ、従来にない薄型化を実現することができる。そしてこれにより、音響装置７の全高寸法（すなわち厚み方向の外形寸法）は、約７ｍｍとしている。特に、内部に設けられた小型スピーカ５の全高寸法を５ｍｍ以下とし、音響装置７の奥行き方向の寸法となる短手方向（横方向）の外形寸法もしくは、全高寸法を、２０ｍｍ以下としている。
【００５１】
このように構成することで、従来の通常のテレビ用サイズのコーン型のスリム形状スピーカを使用した音響装置と比較して、映像表示装置６０の小型化を実現させることができる。さらに、映像表示装置６０の放音孔６３を映像表示パネルの辺に沿わせて配置させ、スリット状の放音孔６３の短径方向の寸法を、スリット状の開口部１ａやスリット状の開口部２ａの短径方向の幅寸法の約１．５ｍｍに合わせて２ｍｍ以下とすることで、映像表示装置６０の放音孔６３の短径寸法は、映像表示装置６０の高さ方向の寸法の１％以下とすることができる。すなわち、本実施の形態に係る映像表示装置６０においては、放音孔６３の短径寸法は、ケース６２の高さ方向の寸法の１％以下とすることができる。これにより、より一層、映像表示装置６０の狭額縁化が可能となり、小型化を実現させることができる。
【００５２】
また、映像表示装置６０の放音孔６３、音響装置７の開口部１ａの幅は、非常に細いため、例え子供が指を入れようとしたとしても、指が振動板などへ到達することはない。従って、誤って振動板を変形させてしまうようなことも防止することができる。それに加えて、本実施の形態ではフレーム２６、側面パネル３、ケース６２が重なり、３重構造となるため、振動板２７やスピーカ５は、この３重構造によって外力から防護されるので、落下など衝撃に対しても破壊や変形を防止することができる。そして、音響装置７には、これらの小型スピーカ５を結線するための配線手段６を設けて構成している。
【００５３】
ここで、音響装置７は、背面パネル２上に配線手段６を配置し、配線手段６上に８個の小型スピーカ５を直線状に連ねて配置させて構成している。尚、本実施の形態において、配線手段６には、プリント基板を用いており、このプリント基板上に形成されたプリント配線によりスピーカ５を電気的に接続している。
【００５４】
このように、スピーカ５は、プリント基板に配線されたプリント配線によって、接続されるので、ごく僅かな厚みで配線することができる。このような構成とすることにより、スピーカコードを空中配線してスピーカを接続する従来の方法に比べて、スピーカコードをなくすことができるので、少なくともこのスピーカコード分の薄型化を図ることができる。さらに、配線手段６として、フレキシブルプリント基板を使用した場合、さらに配線手段６を薄くできるので、音響装置７のさらなる薄型化を図ることができる。
【００５５】
ここで、音響装置７にて再生できる周波数帯域は、主に中高音域であり、低音域の再生が必要な場合は、別途、低音域再生専用の音響装置を映像表示装置６０内に内蔵させることにより、全周波数帯域を十分に再生できる映像表示装置６０を実現することが可能となる。
【００５６】
なお、低音域の音の指向性は非常に広いため、低音域再生専用の音響装置は、指向性の狭い中高音域再生専用の音響装置のように映像表示装置の前面部に設ける必要はない。例えば、映像表示装置６０のケース６２内部で、かつ映像表示パネル６１の背面に配置する等によって搭載しても、十分に低音の再生が可能である。従って、低音域再生専用の音響装置は、映像表示装置６０の内部の空きスペースを有効に活用して配置できるので、映像表示装置６０の小型化を妨げることも少ない。もちろん、低インチサイズの映像表示装置等では、低音域再生専用の音響装置を特に設けずに使用することも可能である。
【００５７】
音響装置７に取付ける小型スピーカ５については、通常携帯電話等に使用されるマイクロスピーカと呼ばれる種類のスピーカを使用している。このマイクロスピーカと呼ばれる種類の小型スピーカ５は、携帯電話用として、専用の自動化量産設備により数多く生産されている。従って、その量産効果により１個あたりの価格が、従来の映像用のスピーカに比べて非常に安価であり、多数個使用しても音響装置７の価格を抑制することができる。
【００５８】
また、このマイクロスピーカを用いた小型スピーカ５は、従来の映像用のスピーカと比べて、耐入力が小さい。そこで、このような小型スピーカ５を多数個使用することにより、必要な耐入力を実現している。
【００５９】
さらに、ボイスコイル２８の寸法もできるだけ大きく設定して、振動板２７の外周部近傍に結合している。このような構成とすることにより、ボイスコイル２８の放熱性を良好にできるので、必要な耐入力を実現することができる。そして、振動板２７の外周部近傍にボイスコイル２８を結合することにより、振動板２７の縦長方向の両端部の振幅における位相を、ボイスコイル２８と同位相にすることができる。
【００６０】
このような構成とすることにより、小型スピーカ５の音の歪を低減させ、安定した音圧周波数特性を実現することができる。
【００６１】
また、ここでは振動板２７をフレーム２６の周縁部に支持するためのエッジは、振動板２７と異なる材料を用いて構成している。そして、エッジには柔軟性に富む弾性体材料を用い、さらに、振動板２７をインサートし、エッジと一体成形することにより、小型スピーカ５を高耐入力化することができる。このようにして、低域を拡大させる方向に広帯域再生化を実現できる小型スピーカ５を得ることができる。
【００６２】
ここでは、取付ける小型スピーカ５の数量として、８個連ねて配置した場合について説明したが、これに限定されることなく、２個、４個、６個、１０個、１２個、１６個、２０個、３０個というように自由に設定することが可能である。
【００６３】
本実施の形態における映像表示装置６０は、テレビジョン受像機であるプラズマテレビや液晶テレビを例に説明したが、本願における音響装置７は、ゲーム機器、スマートホン、タブレット型の携帯情報端末や携帯電話に代表される情報通信機器等に用いても良い。これらの中で情報通信機器やゲーム機器等の比較的小型の映像表示パネルを用いた機器には、２個や４個程度のスピーカの数量とすることにより、より一層小型化、薄型化を実現することがで、音響特性とサイズや価格のバランス面において最適な状態とすることができる。
【００６４】
また、タブレット型の携帯端末や、パーソナルコンピュータなどのように中型のサイズの映像表示パネルを用いた機器には、４個や６個程度のスピーカの数量とすることにより、音響特性とサイズや価格のバランス面において最適な状態とすることができる。さらに、テレビジョン受像機であるテレビ用や、広告や宣伝等に使用されるサイネージ用の映像表示パネル用には、８個や１０個さらにはそれ以上のスピーカの数量とすることで、音響的にスケールの大きなサービスエリアを実現することができ、音響特性とサイズや価格のバランス面において最適な状態とすることができる。以上のように、音響装置７が使用される機器の大きさに応じ、適宜そのスピーカ５を連結する個数を選択すればよい。
【００６５】
従って、音響装置７が搭載される映像表示装置６０は、上述の機器だけに限定されるものではなく、映像が表示される装置であれば全てに適用することができるものである。そして、そのような映像表示装置６０に対して音響装置７を搭載すれば、映像表示装置の小型化や薄型化や省スペース化を実現することができる。そして、直線状に連ねて配置させて構成し、配線する最小単位の数量として、最低限２個あればよい。特に、偶数個連ねて構成させることで、各々のスピーカの直並列接続の組合せが容易になる。
【００６６】
このような構成とすることにより、音響装置７の全体を規定のインピーダンスに設定することが容易になり、従って、生産性を向上させることができる。
【００６７】
この音響装置７に取付ける小型スピーカの数量は、搭載されるテレビの許容寸法や、音響装置に要求される耐入力や、必要な音量を満足させるための音圧レベルを確保できる数量を考慮して設定すればよい。
【００６８】
以上のように、小型スピーカ５を直線状に連ねて配置させて構成することにより、音響装置７としてテレビなどの映像表示パネル６１の両側面に搭載しやすい寸法を実現することができる。
【００６９】
本実施の形態において、小型スピーカ５の外形形状は長方形としているが、これは他の形状でもかまわない。例えば、長方形やトラック形や楕円形の小型スピーカ５を用いても良い。
【００７０】
近年の携帯電話等の情報通信機器の小型化やコンパクト化に伴って、長方形を含むスリム形状（トラック形や楕円形）が主流になりつつあるため、小型スピーカの形状については、既存の小型スピーカであっても豊富に存在し自由に選択が可能である。従って、トラック形や楕円形の外形形状を有する小型スピーカを使用しても、同様の効果を得ることができ、搭載する映像表示装置のデザインや音響装置のデザインおよび特性や音質に合わせて自由に選択が可能である。
【００７１】
このような構成とすることにより、その量産効果により、スリム形状の小型スピーカ５は安価に入手が可能であり、これらのスリム形状のマイクロスピーカを使用すれば、映像表示装置６０の低価格化を実現することができる。
【００７２】
以上、音響装置７に使用される小型スピーカ５の種類として、動電型である小型のマイクロスピーカを使用した場合について説明した。
【００７３】
しかし、本願における音響装置７に使用される小型スピーカ５は、これに限定されることなく、圧電型や静電型等、小型かつ薄型であればどのような種類のスピーカであっても良い。これらの場合でも、動電型のマイクロスピーカを使用した場合と同様の効果を得ることができる。次に、スピーカ５の振動板２７の前面に放音された音と背面に放音された音とを分離する方法について説明する。
【００７４】
スピーカ５の外形形状を、長方形として、この長方形の外形形状を持つスピーカ５を直線状に結合するとともに、さらにこの結合されたスピーカ５全体の外周部に側面パネル３を結合することで、前面に放音された音と背面に放音された音とを分離している。このとき、空気漏れをなくす目的で、接着剤やシーリング剤を併用することで、より一層空気漏れをなくすことができ、良好な音質を実現することができる。
【００７５】
また、スピーカ５の外形形状が、トラック形や楕円形の場合には、これらのスピーカを取付けるためのバッフル板をさらに設けて構成することで、簡単に空気漏れをなくすことができ、良好な音質を実現することができる。すなわち、トラック形や楕円形のスピーカをバッフル板に取付け、このバッフル板を、側面パネル３に結合することで、前面に放音された音と背面に放音された音とを確実に分離することができる。そして、この場合も同様に、空気漏れをなくす目的で、接着剤やシーリング剤を併用することで、より一層空気漏れをなくすことができ、良好な音質を実現することができる。
【００７６】
さらに、個々のスピーカ５を仕切るための仕切り５ａが設けられていることから、互いのスピーカ同士が相互に干渉して、音質や特性に悪影響を及ぼすこともなく、良好な音質や特性を実現することができる。この仕切り５ａについては、前面パネル１の開口部１ａ側と、背面パネル２の開口部２ａ側の両側に形成することで、個々のスピーカ５を完全に仕切ることができる。
【００７７】
また、背面パネル２をプリント基板で構成する場合には、仕切り５ａを前面パネル１のみに形成しても良い。そして、スピーカ５のフレーム２６と前面パネル１に設けられた仕切り５ａを密着させることで、個々のスピーカ５を完全に仕切ることができる。一方、この場合、背面パネルの方向には仕切り５ａが設けられていないため、フレーム２６を仕切りとして代用して、フレーム２６の側面に放音孔を設けて、前面に放音された音と反対方向に放音させることで同様の効果を得ることができる。
【００７８】
さらに、別の方法として、前面パネル１または背面パネル２のいずれか一方に、スピーカ５の全高寸法以上の仕切りを設けて、この仕切りの中にスピーカ５を挿入する構成としても良い。この仕切り５ａについては、前述の構成通り個々のスピーカ５の全てに、それぞれ仕切り５ａが設けられることがスピーカ同士の相互干渉防止の観点から望ましい。しかし、これに限定されることなく、スピーカ５の２個ずつを一組として仕切りを設けたり、背面パネル２側の仕切りを減らしたり、また、一部または全部をなくしたりと所望の特性や音質に応じて対応することで、コストパフォーマンスを向上させることができる。
【００７９】
さらに、図３では、スピーカ５のヨーク２３と背面パネル２との間に隙間を設けた構成としているが、ヨーク２３と背面パネル２とを密着させて結合し、フレーム２６の側面部に放音孔を設けて、背面側に放音する構成としても良い。この構成とすることで、スピーカ５のヨーク２３と背面パネル２との間の隙間と、背面パネル２側の仕切りをなくすことができ、さらなる薄型化と低コスト化を実現することができる。
【００８０】
また、前面パネル１を側面まで延長させて側面パネル３を構成し、前面パネル１と側面パネル３とを同じ材料で一体化して構成して、側面パネル３をスピーカ５のガイドとして使用することで生産効率を向上させる構成としても良い。
【００８１】
次に、スピーカ５および音響装置７の外形や寸法の詳細について説明する。音響装置７の外形形状については、映像機器であるプラズマテレビや液晶テレビの映像表示パネルの両側面や上下面に配置させることを前提に考えれば、細長い長方形の形状とすることが望ましい。
【００８２】
そして、現在、汎用的に携帯電話等に使用されている小型のマイクロスピーカと呼ばれる種類のスピーカは、外形が長方形の形状である場合には、横寸法が約９ｍｍで、縦寸法が約１６ｍｍで、厚み方向すなわち全高寸法が約３ｍｍ程度のマイクロスピーカが主流である。このようなスピーカの外形寸法であれば、スピーカを多数個連ねて細長い長方形形状の音響装置７を構成するのに都合が良い。この汎用的なマイクロスピーカを使用して、音響装置７を構成すると、スピーカを８個使用して長手方向に直線状に連ねて配置させた場合は、音響装置７の外形寸法のうちの短手方向である横方向の外形寸法が約１０ｍｍとなり、小型化を図ることができる。そして、長手方向である縦方向の外形寸法がセットへの取付手段を含めると、約１６０ｍｍとなり、スリム化を図ることができる。
【００８３】
ここで、セットへの取付手段は、音響装置７の長手方向の両端に設けられ、孔や切欠きとしている。一方、音響装置７の外形寸法のうちの厚み方向の外形寸法、すなわち全高寸法については、約７ｍｍとすることができ、薄型化を図ることができる。
【００８４】
以上の構成とすることで、音響装置７の外形寸法のうちの長手方向である縦方向の外形寸法と短手方向である横方向の外形寸法とのアスペクト比を１０以上とすることができ、従来にない高アスペクト比で薄型化を可能とする音響装置７を実現することができる。そして、以上のように小型マイクロスピーカを８個使用して、長手方向に直線状に連ねて配置させ、前面パネル１の方向に、スピーカ５の振動板２７の振幅方向と直角方向に放音できるように開口部１ａを形成し、この開口部１ａを正面方向に向けて配置することで、スリム形状で、小型化や薄型化を実現することができる。
【００８５】
また、背面パネルの方向では、前面パネルの放音方向と反対方向に放音できるように開口部２ａを形成して構成することで、スピーカ５の振動板２７の前面に放音された音と背面に放音された音とを確実に分離して、背面からの逆位相成分を有する音が前面に回りこんで悪影響を及ぼすのを防止することができるため、音圧レベルの低下を防止し、低歪で、良好な音質を実現することができる。さらに、開口部１ａや開口部２ａを防塵ネットで覆って構成することで、開口部１ａや開口部２ａの内部に細かい塵や埃が浸入して、異常音を発生する等の動作不良を防止することができ、品質や信頼性を向上させることができる。
【００８６】
また、この防塵ネットの開口率を選択することにより、通気性を調整することができるため、スピーカ５に与える音響負荷を調整することで、音響装置７の音質や音圧周波数特性を自由に調整することができる。特に、スピーカ５の振動板２７の背面に放音される音に対して、音響負荷を与えて音響装置７の音質や音圧周波数特性を調整することで、精度の高い音質の調整が可能となり、背面からの逆位相成分を有する音が前面に回りこんで悪影響を及ぼすのを一層防止することができるため、音圧レベルの低下防止や低歪化等の大きな効果を発揮させることができる。
【００８７】
以上、スピーカ５および音響装置７の詳細について説明したが、次に、音響装置７を映像表示装置６０のケース６２内部に固定する方法について説明する。
【００８８】
図６Ａは、本発明の実施の形態１に係る映像表示装置６０に音響装置７を固定した状態を示す正面図である。図６Ａは、映像表示装置６０内部から映像表示装置６０の前面に向かって固定の様子を表した図である。図６Ｂは、本発明の実施の形態１に係る映像表示装置６０に音響装置７を固定した状態を示す斜視図である。
【００８９】
図６Ａ、６Ｂに示すように、本実施の形態において音響装置７は、映像表示装置６０のケース６２に対して、ケース内側から弾性体であるクランパ７０によって加圧することにより固定している。クランパ７０には、押圧部７０ａと音響装置７に押圧される端部７０ｂが設けられている。この押圧部７０ａを押すと、クランパ７０による音響装置７の押さえつけ状態が解除される。
【００９０】
また、映像表示装置６０のケース６２内部に、音響装置７を定位置に位置決めするための位置決めピン７１を設けている。そして、位置決めピン７１を音響装置７のセットへの取付手段である孔や切欠きに嵌合させ、位置決めさせて背面方向からクランパ７０によって加圧固定することで、音響装置７を位置ずれが発生することなく精度良くケース６２の内部に固定することができる。もちろん、本来の搭載方法である音響装置７のセットへの取付手段である孔や切欠きを用いてビス締めにより取付ける方法としても良いが、取付け用のビスの削減や、ビス締めによる生産工数の削減を目的として、弾性体であるクランパ７０により加圧固定する方法としている。
【００９１】
従って、ここでは音響装置７のセットへの取付手段である孔や切欠きは、位置決めピン７１を挿入するために用いており、このようにすることで音響装置７を位置ずれが発生することなく精度良く、かつ生産効率良くケース６２の内部に固定することが可能となる。
【００９２】
ここで、弾性体であるクランパの材料としては、ポリオキシメチレンやポリアセタール（ＰＯＭ）を使用している。これらの材料を使用することで、弾性体であるクランパ７０の寸法安定性を向上させ、耐熱性や機械的強度を高めることができるため、クランパ７０を使用した音響装置７のケース６２内部への加圧固定の精度を高め、安定性を向上させることができ、品質や信頼性を向上させることができる。そして加圧時には、約４００ｇの加重で音響装置７を、映像表示装置６０のケース６２内部に加圧して固定している。このように、ケース６２の内側から弾性体であるクランパ７０により約４００ｇの加重で、音響装置７を挟み込むように固定している。したがって、常時加圧状態を維持させることができ、音響装置７をケース６２に強固に固定することができる。
【００９３】
さらには、音響装置７が音を発生したときに生じる振動の低減や吸収も実現することができるので、ビリツキ音等の異常音や歪の発生を防止することができる。ここで、弾性体であるクランパ７０による加重は、３００ｇ以上で、かつ５００ｇ以下とすることが望ましい。クランパ７０による加重を、３００ｇ以上で、かつ５００ｇ以下に設定することで、音響装置７を最適な状態でケース６２へ加圧することにより、音響装置７に変形を伴うような大きな負荷をかけることなく、常時最適な加圧状態を維持させることができる。同時に、音響装置７が音を発生したときに生じる振動の低減や吸収も十分に実現することができるので、ビリツキ音等の異常音や歪の発生も防止しながら、音響装置７をケース６２に強固に固定することが可能となる。
【００９４】
一方、クランパ７０による加重が３００ｇより小さい場合には、音響装置７をケース６２に強固に固定することができず不安定な状態となり、また音響装置７が音を発生したときに生じる振動の低減や吸収も十分に実現することができなくなる。さらに、クランパ７０による加重が５００ｇより大きい場合には、音響装置７に変形を伴うような大きな負荷となり、変形によりケース６２との間に隙間が生じやすくなるため、この隙間からの音漏れにより、音質劣化や歪の発生の原因となる。
【００９５】
そして、クランパ７０の材料として、耐熱性や機械的強度の高いポリオキシメチレンやポリアセタール（ＰＯＭ）を使用していることで、ヒートショックによる劣化や経年劣化が非常に少なく、長期的に安定した加圧固定を実現することができるため、長期間にわたり品質や信頼性を向上させることができる。
【００９６】
この構成とすることで、取付け用のビスを数点削減することができ、さらに、ビス締めによる生産工数も削減することができ、映像表示装置６０の低価格化を実現することができる。
【００９７】
なお、映像表示装置６０の映像表示パネル６１の下辺に音響装置７の長手方向を沿わせて配置した場合について説明した。しかし本願における構成は、これに限定されることなく、図７に示すように、音響装置７を映像表示パネル６１の左右それぞれ一対に設けても良い。この場合、放音孔は、映像表示パネル６１の左右側に設けられることとなる。このように音響装置７を映像表示装置６０の左右側に配置することによって、音響装置７を映像表示パネル６１の下方に配置した場合と同様に、映像表示装置６０の狭額縁化を実現させることができる。またこの場合、映像表示装置６０の上下方向の寸法を小さくすることができ、さらに、左右それぞれ一対に設けられた音響装置７の距離を大きく確保することができるため、ステレオ再生時のチャンネルセパレーションを良好化させることができるという効果も有している。
【００９８】
（実施の形態２）
実施の形態１においては、映像表示装置６０は、映像表示パネル６１の下辺に音響装置７が設けられる例であった。これに対し、本実施形態においては、図８、および図９に示すように、映像表示装置６０ａは、音響装置７が映像表示パネル６１の背面で、かつ映像表示パネル６１の外周部より内側に配置される。すなわち、音響装置７は、映像表示パネル６１の背面で、映像表示パネル６１の下方近傍に、その長手方向が、映像表示パネル６１の下辺に沿うように配置される。つまり、小型のスピーカ５が映像表示パネル６１の下辺に沿うように複数個並んで配置される。なお、本実施の形態では、実施の形態１と同等な構成には、同等な符号を付加し、説明を省略する場合がある。また、音響装置７は、図６Ａで示す位置決めピン７１と、ケース６２の固定箇所に設けられたネジ穴を用いてネジ止めすることでケース６２に固定される。
【００９９】
小型スピーカ５の振動板２７の振幅方向は、映像表示パネル６１の映像表示面と実質的に平行方向または実質的に直交方向となるように配置可能であるが、図８は、振動板２７の振幅方向が、映像表示パネル６１の映像表示面と実質的に直交方向で、音響装置７の開口部を、映像表示パネル６１の映像表示面と実質的に直交面上、すなわち、下方向に向けて構成した例である。
【０１００】
また、放音孔６３は、ケース６２ａの背面に設けられ、音響装置７のスリット状の開口部１ａに対応する位置に設けられる。放音孔６３を映像表示パネル６１の背面の下側に設けることにより、視聴者の耳に近い位置を確保することができる。そして、放音孔６３から下方に向けて放音させることにより、放音された音の一部は、床面に反射して視聴者の耳に届くことから、視聴者の耳に効率よく伝達させることができる。
【０１０１】
上述したとおり、小型スピーカ５の振動板２７の振幅方向は、映像表示パネル６１の映像表示面と実質的に直交方向である。よって、小型スピーカ５は、振動板２７の前面（図８における振動板の前方）側が映像表示パネル６１の側を向く方向に配置され、小型スピーカ５は、主に振動板２７の前面側の方向へ放音された音を放音孔６３から映像表示装置６０ａの外部へと放音する。
【０１０２】
このような構成においても、振動板２７の背面側で発生した逆位相成分の音が、前面側に回り込むことを抑制することができ、振動板２７の前面側へと放音された音と、振動板２７の背面側へと放音された逆位相成分の音とが、混ざってしまうことを抑制することができる。従って、音圧レベルの低下等の悪影響を及ぼすことを防止することができ、特性や音質の良好な音を再生することができる。
【０１０３】
また、本実施形態の構成によっても、映像表示装置６０ａの放音孔６３からの放音が可能となるので、映像表示装置６０ａの狭額縁化が可能となる。特に、音響装置７が映像表示パネル６１の背面で、かつ映像表示パネル６１の外周部より内側に配置して構成されることから、映像表示パネル６１の外周部には最低限必要となるケース６２ａが存在するだけであり、極限まで狭額縁化が可能となる。
【０１０４】
なお、図８、および図９は、映像表示装置６０ａの映像表示パネル６１の背面で、映像表示パネル６１の下辺近傍に音響装置７の長手方向を沿わせて配置した例であったが、音響装置７を映像表示パネル６１の背面で、映像表示パネル６１の左右近傍にそれぞれ一対に設けても良い。左右近傍に配置する場合でも、下方近傍に配置した場合と同様に、映像表示装置６０ａの薄型化を実現させることができる。また、左右それぞれ一対に設けられた音響装置７の距離を大きく確保することができ、さらに左右それぞれ反対方向に放音させることができるため、ステレオ再生時のチャンネルセパレーションを良好化させることができる。
【０１０５】
なお、低音域の音の指向性は非常に広いため、低音域再生専用の音響装置７は、映像表示装置６０ａのケース６２ａ内部の映像表示パネル６１の背面であれば、どの位置に配置しても、十分に低音の再生が可能である。
【０１０６】
以上のように、本発明の音響装置７は、低インチサイズから高インチサイズまでの映像表示装置６０、６０ａに対して、広く搭載することが可能である。従って、音響装置７を搭載した映像表示装置６０、６０ａは、上記に説明したような音響装置７の有する特徴によって、幅広いサイズの映像表示装置６０、６０ａに対し、従来にない薄型化や小型化や省スペース化を実現することができる。また、音響装置７は、小型スピーカ５が多数連なって構成されていることから、音質的には中高域の明瞭度が高く、歪の少ない良好な音質を実現することができる。また、量産効果により価格が安価なマイクロスピーカを多数個使用することにより、コスト的要求についても満足できる映像表示装置６０、６０ａを提供することができる。
【０１０７】
高インチサイズの映像表示装置６０、６０ａについては、音響装置７を左右に一対の使用のみならず、これを最小単位として、上下方向や左右方向に多数個配置しても良く、このように搭載することにより、要求される耐入力や音圧レベルの調整を図ることもできる。さらに必要であれば、映像表示装置６０、６０ａの映像表示パネル６１の外周部を囲むケース６２、６２ａの外周の全周に沿わせるように枠体状に形成させて配置することも可能であり、このように搭載することにより、要求される耐入力や音圧レベルを一層満足させることができる。
【０１０８】
以上説明したように、本発明の映像表示装置６０、６０ａに用いる音響装置７は、映像表示パネル６１の外周部の上下方向または左右方向あるいは映像表示パネル６１の裏面側に配置されるものであり、小型スピーカを直線状に２個以上連ねて構成したものである。そして、映像表示装置６０、６０ａのケース６２、６２ａの映像表示パネル６１の外周部には、音響装置７のスリット状の開口部１ａに対応する位置に映像表示装置６０、６０ａの放音孔６３を設け、映像表示装置６０、６０ａの放音孔６３から音響装置７の音が放音される構成としている。さらに、音響装置７の奥行き方向の寸法は、映像表示パネル６１の奥行き方向の寸法と同じか、または小さくして構成している。
【０１０９】
以上の構成とすることにより、映像表示装置６０、６０ａの狭額縁化が可能となる。従って、映像表示装置６０、６０ａの小型化や薄型化や省スペース化を実現させることができ、市場要求であるコンパクトな映像表示装置６０、６０ａを実現することができる。
【産業上の利用可能性】
【０１１０】
本発明にかかる映像表示装置は、小型化や薄型化が必要とされる映像表示装置に適用できる。
【符号の説明】
【０１１１】
１ａ，２ａ    開口部
５    スピーカ（小型スピーカ）
７    音響装置
２７    振動板
６０，６０ａ    映像表示装置
６１    映像表示パネル
６２，６２ａ    ケース
６３    放音孔
【手続補正２】
【補正対象書類名】特許請求の範囲
【補正対象項目名】全文
【補正方法】変更
【補正の内容】
【特許請求の範囲】
【請求項１】
映像を表示する映像表示パネルと、
前記映像表示パネルの外周部を囲むケースと、
前記映像表示パネルの外周部近傍に配置され、複数のスピーカを直線状に連ねて構成される音響装置と、
前記音響装置の開口部に対応して前記ケースに設けられ、前記音響装置からの発生音を外部に放音するための放音孔と、を備え、
前記音響装置の奥行き方向の寸法が、前記映像表示パネルの奥行き方向の寸法以下である、映像表示装置。
【請求項２】
前記音響装置が、前記映像表示パネルの前面側、かつ前記映像表示パネルの外周部の外側に設けられている、請求項１記載の映像表示装置。
【請求項３】
前記スピーカの振動板の振幅方向を、前記映像表示パネルの映像表示面と実質的に平行方向とし、
前記音響装置の前記開口部を、前記映像表示パネルの映像表示面と実質的に平行面上に構成した、請求項２記載の映像表示装置。
【請求項４】
前記音響装置が、前記映像表示パネルの裏面側、かつ前記映像表示パネルの外周部の内側に設けられている、請求項１記載の映像表示装置。
【請求項５】
前記スピーカの振動板の振幅方向を、前記映像表示パネルの映像表示面と実質的に直交方向とし、
前記音響装置の前記開口部を、前記映像表示パネルの映像表示面と実質的に直交面上に構成した、請求項４記載の映像表示装置。
【請求項６】
前記スピーカを直線状に連ねて配置する方向は、前記スピーカの長手方向である請求項１記載の映像表示装置。
【請求項７】
前記放音孔の長方形形状の短径寸法を２ｍｍ以下とした請求項１記載の映像表示装置。
【請求項８】
前記放音孔の長方形形状の短径寸法は、前記ケースの高さ方向の寸法の１％以下とした請求項１記載の映像表示装置。
【請求項９】
前記音響装置の短手方向寸法は、２０ｍｍ以下とした請求項１記載の映像表示装置。
【請求項１０】
前記スピーカの全高寸法は、５ｍｍ以下とした請求項１記載の映像表示装置。
【請求項１１】
前記音響装置は、前記ケースの内側から加圧することにより固定した請求項１記載の映像表示装置。
【請求項１２】
前記音響装置は、前記ケースの内側から弾性体により前記音響装置を挟み込むように固定した請求項１記載の映像表示装置。
【請求項１３】
前記開口部は、振動板の前面側へ放出された音を放音する第１の開口部、及び振動板の背面側へ放出された音を放音する第２の開口部を有し、
前記第１の開口部は、前記放音孔に対抗する位置に配置され、
前記第２の開口部は、前記第１の開口部に対して前記音響装置の反対側に配置された、
請求項３及び請求項５のいずれか１項記載の映像表示装置。
【手続補正３】
【補正対象書類名】図面
【補正対象項目名】全図
【補正方法】変更
【補正の内容】
【図１】
2012153537.tif 000016
【図２】
2012153537.tif 000017
【図３】
2012153537.tif 000018
【図４】
2012153537.tif 000019
【図５】
2012153537.tif 000020
【図６Ａ】
2012153537.tif 000021
【図６Ｂ】
2012153537.tif 000022
【図７】
2012153537.tif 000023
【図８】
2012153537.tif 000024
【図９】
2012153537.tif 000025
【図１０】
2012153537.tif 000026
【図１１】
2012153537.tif 000027
【手続補正書】
【提出日】平成26年5月13日(2014.5.13)
【手続補正１】
【補正対象書類名】明細書
【補正対象項目名】００１５
【補正方法】変更
【補正の内容】
【００１５】
本発明の映像表示装置は、映像を表示する映像表示パネルと、映像表示パネルの外周部
を囲むケースと、映像表示パネルの外周部近傍に配置され、複数のスピーカを直線状に連ねて構成される音響装置と、音響装置の開口部に対応してケースに設けられ、音響装置からの発生音を外部に放音するための放音孔とを備えている。音響装置の奥行き方向の寸法が、映像表示パネルの奥行き方向の寸法以下であり、音響装置が、映像表示パネルの前面側、かつ映像表示パネルの外周部の外側に設けられており、スピーカの振動板の振幅方向を、映像表示パネルの映像表示面と実質的に平行方向とし、音響装置の開口部を、映像表示パネルの映像表示面と実質的に平行面上に構成している。
【手続補正２】
【補正対象書類名】特許請求の範囲
【補正対象項目名】全文
【補正方法】変更
【補正の内容】
【特許請求の範囲】
【請求項１】
映像を表示する映像表示パネルと、
前記映像表示パネルの外周部を囲むケースと、
前記映像表示パネルの外周部近傍に配置され、複数のスピーカを直線状に連ねて構成される音響装置と、
前記音響装置の開口部に対応して前記ケースに設けられ、前記音響装置からの発生音を外部に放音するための放音孔と、を備え、
前記音響装置の奥行き方向の寸法が、前記映像表示パネルの奥行き方向の寸法以下であり、
前記音響装置が、前記映像表示パネルの前面側、かつ前記映像表示パネルの外周部の外側に設けられており、
前記スピーカの振動板の振幅方向を、前記映像表示パネルの映像表示面と実質的に平行方向とし、
前記音響装置の前記開口部を、前記映像表示パネルの映像表示面と実質的に平行面上に構成した、
映像表示装置。
【請求項２】
前記開口部は、振動板の前面側へ放出された音を放音する第１の開口部、及び振動板の背面側へ放出された音を放音する第２の開口部を有し、前記第１の開口部は、前記放音孔に対抗する位置に配置され、
前記第２の開口部は、前記第１の開口部に対して前記音響装置の反対側に配置された、
請求項１記載の映像表示装置。
【請求項３】
前記スピーカを直線状に連ねて配置する方向は、前記スピーカの長手方向である請求項１記載の映像表示装置。
【請求項４】
前記放音孔の長方形形状の短径寸法を２ｍｍ以下とした請求項１記載の映像表示装置。
【請求項５】
前記放音孔の長方形形状の短径寸法は、前記ケースの高さ方向の寸法の１％以下とした請求項１記載の映像表示装置。
【請求項６】
前記音響装置の短手方向寸法は、２０ｍｍ以下とした請求項１記載の映像表示装置。
【請求項７】
前記スピーカの全高寸法は、５ｍｍ以下とした請求項１記載の映像表示装置。
【請求項８】
前記音響装置は、前記ケースの内側から加圧することにより固定した請求項１記載の映像表示装置。
【請求項９】
前記音響装置は、前記ケースの内側から弾性体により前記音響装置を挟み込むように固定した請求項１記載の映像表示装置。
【国際調査報告】
2012153537.tif 000028
2012153537.tif 000029
2012153537.tif 000030